(57)【要約】【課題】意外性のある「ボタン演出」を実行可能な遊技機を提供することを目的とする。【解決手段】遊技者によって操作が可能に設けられた遊技ボタン１４と、操作が有効とされる有効期間と、有効期間中に操作が為された場合、当否判定の結果に対する信頼度を示す枠色報知演出（予告演出）を実行する「遊技ボタン操作処理１」を備えたパチンコ機１であって、有効期間において遊技ボタン１４を所定の態様で操作することを遊技者に促す操作促進報知を行うようにする操作促進手段と、有効期間が到来しても操作促進報知を行わないようにする非操作促進手段と、を備え、操作促進報知が行われているとき、又は行われていないとき、の何れの場合においても、同一系統の枠色報知演出を実行する。【選択図】図９
2019118443.tif 000002
【特許請求の範囲】
【請求項１】
所定条件の成立に基づいて大当りとするか否かの当否判定を実行する当否判定手段と、
前記当否判定の結果に基づいた演出を表示画面上で表示する演出表示手段と、
遊技者によって操作が可能に設けられた操作部と、
前記操作が為されたことを検出する操作検出手段と、
前記操作が有効とされる有効期間と、
前記有効期間中に前記操作が検出された場合、前記当否判定の結果に対する信頼度を示す信頼度演出を実行する信頼度演出実行手段と、を備えた遊技機であって、
前記有効期間において前記操作部を所定の態様で操作することを遊技者に促す操作促進報知を行うようにする操作促進手段と、
前記有効期間が到来しても前記操作促進報知を行わないようにする非操作促進手段と、を更に備え、
前記信頼度演出実行手段は、前記操作促進報知が前記操作促進手段により行われているとき、又は前記非操作促進手段により行われていないとき、の何れの場合においても、同一系統の前記信頼度演出を実行すること、
を特徴とする遊技機。
【請求項２】
請求項１に記載の遊技機において、
信頼度演出実行手段は、前記操作促進手段により操作促進報知が行われたときに前記操作が検出された場合よりも、前記非操作促進手段により操作促進報知が行われなかったときに前記操作が検出された場合の方が、信頼度の高い前記信頼度演出を実行する可能性が高いこと、
を特徴とする遊技機。
【請求項３】
請求項１または請求項２に記載の遊技機において、
前記非操作促進手段により前記操作促進報知を行わないようにした場合、前記有効期間の開始から該有効期間よりも短い所定時間が経過したことに基づいて、前記操作促進報知を遅延して行う遅延操作促進手段を備えたこと、
を特徴とする遊技機。
【請求項４】
請求項１乃至請求項３に記載の遊技機において、
前記操作部を状態変化させる操作部状態変化手段を備え、
前記操作部状態変化手段は、前記有効期間中に操作部の状態変化を遊技者が認知可能な態様にて実行し、前記非操作促進手段により前記操作促進報知を実行しない場合においても前記操作部の状態変化を実行すること、
を特徴とする遊技機。
【発明の詳細な説明】
【技術分野】
【０００１】
本発明は、遊技者によって操作可能な操作部を備えた遊技機に関するものである。
【背景技術】
【０００２】
従来のパチンコ遊技機等に代表される遊技機では、所定の条件が成立することにより当否判定を実行し、該当否判定の結果に基づいた演出表示を実行することで、遊技者に当否判定の結果を示す構成となっている。
【０００３】
また、演出表示として、遊技機の前面に遊技者が操作可能に設けられたボタン（操作部）を、所定のタイミングで操作することで、遊技者に当否判定の結果に関して示唆或いは報知を行う、所謂「ボタン演出」（信頼度演出）を備えた遊技機（例えば、特許文献１）が、広く普及している。
【０００４】
このような「ボタン演出」を備えた遊技機では、ボタン操作が行われたことを検知し、該検知が発生したことを契機としてボタン演出が行われる。さらに、ボタン操作の検知が有効となる有効期間を備えており、現時点が有効期間であることを、演出表示装置の表示によって報知し、遊技者にボタン操作を促す構成となっている。このようにすることで、当該遊技機では、ボタン操作による遊技者の遊技への参加を可能としつつ、用意した「ボタン演出」を遊技者に出来るだけ余すことなく提供することが可能となっている。
【先行技術文献】
【特許文献】
【０００５】
【特許文献１】特開２０１２−２２３４７２号公報
【発明の概要】
【発明が解決しようとする課題】
【０００６】
しかし、上述したような「ボタン演出」を備えた遊技機では、有効期間中においてボタン操作を促す報知が為された場合、該報知に従って遊技者によるボタン操作が行われれば、単に用意された「ボタン演出」を予定通り実行する、という至って単純なプロセスを発生するに過ぎず、そこに意外性は無かった。
【０００７】
また、ボタン操作を促す報知が為されない場合には、「ボタン演出」による当否判定の結果に関しての示唆或いは報知が行われないので、遊技者が当該変動に対して大当りとなる期待を抱くことが出来ず、この場合にも、遊技の展開に意外性は無かった。
【０００８】
本願発明は、かかる課題に鑑み為されたものであって、意外性のある「ボタン演出」を実行可能な遊技機を提供することを目的とする。
【課題を解決するための手段】
【０００９】
上記課題を解決するために為された請求項１に係る発明は、所定条件の成立に基づいて大当りとするか否かの当否判定を実行する当否判定手段と、当否判定の結果に基づいた演出を表示画面上で表示する演出表示手段と、遊技者によって操作が可能に設けられた操作部と、操作が為されたことを検出する操作検出手段と、操作が有効とされる有効期間と、有効期間中に操作が検出された場合、当否判定の結果に対する信頼度を示す信頼度演出を実行する信頼度演出実行手段と、を備えた遊技機に関するものである。
【００１０】
この遊技機は、有効期間において操作部を所定の態様で操作することを遊技者に促す操作促進報知を行うようにする操作促進手段と、有効期間が到来しても操作促進報知を行わないようにする非操作促進手段と、を更に備え、信頼度演出実行手段は、操作促進報知が操作促進手段により行われているとき、又は非操作促進手段により行われていないとき、の何れの場合においても、同一系統の前記信頼度演出を実行する。
【００１１】
なお、信頼度演出は、大当りとするか否かの当否判定の結果に対する信頼度を示す演出である。よって、当否判定が実行されてその結果が内部的には決定している状態、つまり未だその結果が遊技者に認知可能な状態に至っていない状態にて、その大当りか否かの結果に対する信頼度を示唆する演出である。このような信頼度演出の一例として、所謂「ボタン演出」等が考えられる。また、このような内部的に決定している当否判定の結果が未確定である状態とは、遊技機の一例がパチンコ遊技機であれば、当否判定が実行されて図柄の変動表示中つまり図柄の確定表示前の状態である。また、遊技機の一例が回胴式遊技機である場合、内部的にハズレであれば、少なくとも１個の回胴の回転が停止していない状態であり、内部的に大当りであれば、該大当りに対応した停止位置に回胴が未だ停止していない（遊技者による目押しが成功していない）状態である。このように本願発明の信頼度演出は、遊技機としてパチンコ遊技機および回胴式遊技機の何れにおいても備えることが可能な演出である。
【００１２】
なお、信頼度演出実行手段は、遊技者による操作部の操作が有効期間中に検出されたときに、信頼度演出を実行する。但し、該実行する信頼度演出を何れの演出とするかの選択処理は、操作部の操作が行われるよりも前に予め、実行することとなる信頼度演出を同一系統の演出群（例えば、ボタン操作に基づいて表示する台詞枠色の違い（金、赤、および白）によって期待度を報知する枠色報知演出）の中から選択しておき、操作が行われたことに基づいて、選択した信頼度演出を実行する構成が好適である。このようにすることで、選択処理および実行処理を段階的に実行し、処理の不具合が発生することを防止できる。また、この構成に限定せず、操作部の操作が行われたときに、実行する信頼度演出を選択し、該選択された信頼度演出を実行するように構成することも考えられる。このようにすることで、選択処理と実行処理を併せて行うことにより、制御処理を分散することなく、選択された信頼度演出の種別に関するデータを特別に記憶しておくバッファや処理も可能な限り省略でき、制御処理を簡素化できる。
【００１３】
なお、信頼度演出は、操作部（例えば、遊技ボタン１４）の操作に起因して実行される所謂「ボタン演出」とすることが好適である。このような「ボタン演出」（信頼度演出）は、一般的に、遊技中の様々なタイミングで、また、様々な態様にて、実行可能に構成される。つまり、変動開始時における台詞予告や、リーチ中の一発告知予告や、大当り中の確変昇格予告等、多種多様な構成が考えられる。本願発明の信頼度演出実行手段は、操作促進報知の実行／非実行の何れにおいても、そのような様々に設けられた信頼度演出の中で、少なくとも１種類の同一系統である信頼度演出（例えば、変動開始時の台詞予告において異なる台詞枠色によって信頼度を報知する演出）を、実行するものである。同一系統の信頼度演出であるので、その実行タイミング（ボタンの有効期間）は、操作促進報知が実行された場合であっても、実行されなかった場合であっても同じである。
【００１４】
このように構成することにより、操作促進報知が行われていなくても、操作部の操作が有効になっている場合があるため、遊技者は、操作を促進されていない場合であっても、有効期間中であると予測して操作し、該予測が的中していれば、信頼度演出を享受することができる、という面白み提供できる。
【００１５】
また、請求項２に記載されているように、遊技機の、信頼度演出実行手段は、操作促進手段により操作促進報知が行われたときに操作が検出された場合よりも、非操作促進手段により操作促進報知が行われなかったときに操作が検出された場合の方が、信頼度の高い信頼度演出を実行する可能性が高い、ようにしても良い。
【００１６】
このように構成することにより、有効期間中に操作検出手段により操作が検出されたことにより実行される信頼度演出は、操作促進報知が為されている場合よりも、為されていない場合の方が、信頼度が高い示唆を行う可能性が高い。このため、遊技者に対して、操作促進報知が行われなかったとしても、落胆させることなく、寧ろ、より高い信頼度の示唆の享受に対する期待感を抱かせることができる。
【００１７】
また、請求項３に記載されているように、遊技機は、非操作促進手段により操作促進報知を行わないようにした場合、有効期間の開始から該有効期間よりも短い所定時間が経過したことに基づいて、操作促進報知を遅延して行う遅延操作促進手段を備えた、ようにしても良い。
【００１８】
このように構成することにより、操作促進報知の実行を遅延させつつも実行するので、有効期間であることを遊技者が知らずに該有効期間が渡過してしまうことを防止できる。また、操作促進報知の実行を遅延させることで、遊技者に対して、操作促進報知が行われないのかと思わせておきながら、実は実行することで驚きを与えることができる。また、このような遅延を行う場合を備えることで、実際には内部的に操作促進報知を行わないと決定している場合でも、遅れて実行されるのではないか、と遊技者に期待させることができる。
【００１９】
非操作促進報知手段により操作促進報知を行わない場合とは、操作促進手段により操作促進報知を開始する時期が到来しても操作促進報知を有効期間が終了するまで行わない場合に限らず、前記操作促進報知を開始する時期が到来した時点で実行しないのであれば、前記時期の到来から一定時間経過して、つまり遅延して実行する場合もこれに相当する。このような作用を為す遅延操作促進手段を、本願発明の非操作促進手段は備える。
【００２０】
また、結果的には操作促進報知を実行するという技術的特徴を捉えた場合、遅延操作促進手段は、本願発明の操作促進手段が備える構成とすることもできる。操作促進報知を実行する、としてもその実行時期に関して、操作促進報知を開始する時期の到来に合わせて実行する場合もあれば、その時期の到来から一定時間経過して、つまり遅延して実行する場合も含めて、結果的には操作促進報知を実行する構成と位置付けることも可能である。そのような技術的思想と捉えた場合には、非操作促進報知手段は、操作促進報知の実行時期が到来しても、また到来からどれだけの時間が経過して有効期間がたとえ渡過したとしても操作促進報知を非実行とする機能と捉えることとなる。
【００２１】
また、請求項４に記載されているように、遊技機は、操作部を状態変化させる操作部状態変化手段を備え、操作部状態変化手段は、有効期間中に操作部の状態変化を遊技者が認知可能な態様にて実行し、非操作促進手段により操作促進報知を実行しない場合においても操作部の状態変化を実行する、ようにしても良い。
【００２２】
このように構成することにより、非操作促進手段によって操作促進演出が行われていないときであっても、操作部の状態変化を遊技者が認知可能な態様にて行うことで、遊技者に有効期間であることを気付かせ易くなり、初めて当該遊技機にて遊技を行う遊技者に対しても、有効期間中であることを察知させ易くすることができる。
なお、操作部の状態変化として、ランプやＬＥＤ等の発光部材を備えて、該発光部材の点灯状態の変化、によって遊技者に認知させる構成が好適である。また、発光部材の発光色の変化や、操作部の形状の変化、操作部の配置位置の変化（例えば、所謂突出ボタンの突出変位等）、等によって遊技者に認知させるようにしても良い。さらに、スピーカ等の発音装置を備えて、発生する音の変化等によって、遊技者に認知させるようにしてもよい。操作部のおかれている状態が変化したことを、遊技者に認知可能な構成であれば、このような他の構成であっても本発明の「操作部の状態変化」の一例に相当するものである。
【図面の簡単な説明】
【００２３】
【図１】パチンコ機１の正面図。
【図２】遊技盤８の正面図
【図３】パチンコ機１の電気的構成を示すブロック図。
【図４】主制御装置５０が実行する始動入賞確認処理を示すフローチャート。
【図５】主制御装置５０が実行する当否判定処理を示すフローチャート。
【図６】サブ統合制御装置５３が実行する変動指示コマンド受信処理を示すフローチャート。
【図７】サブ統合制御装置演出５３が実行する遊技ボタン操作待機処理１を示すフローチャート。
【図８】実施例１においてサブ統合制御装置演出５３が実行する遊技ボタン操作処理１を示すフローチャート。
【図９】サブ統合制御装置５３が備える予告演出選択テーブルの図表。
【図１０】実施例１における演出図柄表示装置５４ｂの演出表示例１。
【図１１】実施例１における演出図柄表示装置５４ｂの演出表示例２。
【図１２】実施例２におけるサブ統合制御装置演出５３が実行する遊技ボタン操作待機処理２を示すフローチャート１。
【図１３】実施例２におけるサブ統合制御装置演出５３が実行する遊技ボタン操作待機処理２を示すフローチャート２。
【図１４】実施例２におけるサブ統合制御装置演出５３が実行する遊技ボタン操作待機処理２を示すフローチャート３。
【図１５】実施例２における演出図柄表示装置５４ｂの演出表示例１。
【図１６】実施例２における演出図柄表示装置５４ｂの演出表示例２。
【図１７】実施例２における演出図柄表示装置５４ｂの演出表示例３。
【発明を実施するための形態】
【００２４】
以下、本発明の実施形態について図面を用いて説明する。尚、本発明の実施の形態は、下記の実施形態に何ら限定されることはなく、本発明の技術的範囲に属する限り種々の形態を採りうる。
［実施例１］
【００２５】
図１に遊技機の一種であるパチンコ機１の正面図を示し、詳細に説明する。図１に示す通り、本実施例のパチンコ機１は、大きく長方形の外枠２、前面枠３、意匠枠４ａ、意匠枠４ｂとからなる筐体にて各部を保持する構造である。
【００２６】
外枠２左側の上部には金具５ａが、下部に金具５ｂがそれぞれ設けられており、金具５ａおよび５ｂとでヒンジ機構を形成し、前面枠３は外枠２に対して開閉可能に構成され、図示しない前面枠閉鎖スイッチ３８（図３参照）が前面枠３の閉鎖状態を検出可能に装着されている。また、前面枠３左側の中部には金具５ｃが設けられ、金具５ａと金具５ｃとでヒンジ機構を形成し、意匠枠４ａは前面枠３に対して開閉可能に構成されている。さらに、金具５ｃと金具５ｂとでヒンジ機構を形成し、意匠枠４ｂは前面枠３に対して開閉可能に構成されている。
【００２７】
ヒンジ機構が形成される逆側（ここでは右側）には、外枠２と前面枠３との施錠、前面枠３と意匠枠４ａとの施錠、前面枠３と意匠枠４ｂとの施錠／解錠を行うための鍵穴６ａを有するスライド錠６が設けられている。尚、本実施例のパチンコ機１は、外枠２の左隣にＣＲプリペイドカードユニット７を設けている所謂ＣＲ機として説明するが、ＣＲプリペイドカードユニット７を設けない所謂現金機としても何ら差し支えないし、所定数の遊技球を機内に封入し、発射した遊技球を遊技機内で回収して再度発射位置へ誘導する封入式の遊技機（弾球遊技機）としてもよい。
【００２８】
意匠枠４ａは、後述する遊技盤８を視認可能とするために透明樹脂板またはガラス板を備える窓部９、前面枠３に設けられたスピーカ１０の前面にスピーカ１０を保護し、且つ、効果音を通すための保護音通部１１を備えている。
【００２９】
また、意匠枠４ｂは、遊技球を貯留しておくための上皿１２および下皿１３を略中央に備え、遊技者が操作可能な遊技ボタン１４（本願発明の操作部に相当）、ＣＲプリペイドカードユニット７と後述するＣＲユニット端子板６０を介して接続される精算表示装置１５、球貸ボタン１６および精算ボタン１７を左側に備えている。本実施例では、遊技ボタン１４としてプッシュ式のボタンを採用しているが、遊技者の操作に応じた信号が検出可能な操作装置であれば、これに限るわけではない。例えば、操作方向まで検出可能な十時式のボタンでもよいし、レバータイプのスイッチでもよい。
【００３０】
前面枠３の右下側（意匠枠４ｂの右側）には、遊技球の発射強度を調節するための発射ハンドル１８が設けられており、発射ハンドル１８の近傍には、発射停止ボタン１９（図３参照）および図示しないタッチ板２０が設けられている。前面枠３の下側（意匠枠４ｂの下側）には、スピーカ１０を備えたスピーカユニット２１が設けられている。本実施例では、遊技球を機外に払出す構成の遊技機としているが、遊技機内部に封入された所定数の遊技球を循環的に使用して遊技を行う循環式遊技機としても何ら問題ない。
【００３１】
続いて、図２に遊技盤８の正面図を示し、詳細に説明する。遊技盤８には公知のガイドレール２５ａ、２５ｂによって囲まれた略円形の遊技領域２６が設けられ、多数の遊技釘２７が植設されている。遊技領域２６の略中央には、窓部２８ａを有する液晶枠飾り２８が設けられており、演出図柄表示装置５４ｂ（図３参照）のＬＣＤ画面が遊技者から視認可能に構成され、図示しない公知のワープ入口、ワープ通路、ステージ等も設けられている。
【００３２】
また、窓部２８ａの上方左には、７セグメントＬＥＤ等の発光部材により構成される第１特図表示装置２９、上方右には左と同一部材の第２特図表示装置３０と、中央には４個の発光部材で構成される第２特図保留数表示装置３０ａが設けられており、窓部２８ａ下には同様に４個の発光部材で構成される第１特図保留数表示装置２９ａが設けられている。
【００３３】
液晶枠飾り２８の左右両側又は左側には後述する普通図柄作動スイッチ４２ａ（図３参照）を備える普通図柄作動ゲート４２が設けられており、下側には第１始動口３１と開放時のみ入賞可能となる普通電動役物４０が第２始動口３２として設けられている。また普通電動役物４０には、７セグメントＬＥＤ等の発光部材により構成される普通図柄表示装置４１が配置されている。第２始動口３２の下方には、アタッカー式の大入賞口３３ａを備える大入賞口ユニット３３が配置され、該大入賞口ユニット３３の下方にはアウト口３４が設けられている。大入賞口３３ａの左側には４個のＬＥＤで構成される普図保留数表示装置４１ａが設けられている。
【００３４】
大入賞口ユニット３３の左右両側には、後述する一般入賞口スイッチ３５ｂ、３５ｃ、３５ｄ、３５ｅ（図３参照）を備える一般入賞口３５ａが複数備えられる入賞口ユニット３５が設けられている。尚、一般入賞口スイッチ３５ｂ、３５ｃ、３５ｄ、３５ｅは遊技盤正面から見た一般入賞口スイッチ３５ａの位置によって区別され、右側上には一般入賞口スイッチ３５ｂ、右側下には一般入賞口スイッチ３５ｃ、左側上には一般入賞口スイッチ３５ｄ、左側下には一般入賞口スイッチ３５ｅ、が配置されている。尚、本実施例においては、普通電動役物４０は開放時のみ遊技球の入賞が可能な構成としているが、この構成に限るわけではなく、未開放時（普通電役ソレノイド４０ｂが駆動しない）でも遊技球の入球を可能とする構成でも問題ない。
【００３５】
上記のように遊技盤８を構成することによって、普通図柄作動ゲート４２に遊技球が入球（普通図柄作動スイッチ４２ａ（図３参照）が遊技球を検出）すると、普通図柄表示装置４１で普通図柄が変動表示を開始し、所定時間後に停止した普通図柄の態様に応じて、後述する普通電役ソレノイド４０ｂ（図３参照）を駆動させる。普通電役ソレノイド４０ｂを駆動させると、ほぼ同期して普通電動役物４０の羽根部材が駆動して、普通電動役物４０への入球（第２始動口スイッチ３２ａ（図３参照）での検出）が可能となるように構成されている。
【００３６】
第１始動口３１に遊技球が入球（第１始動口スイッチ３１ａ（図３参照）が遊技球を検出）すると、第１特図表示装置２９において第１特別図柄が変動を開始し、所定時間後に停止する。また、第２始動口３２である普通電動役物４０に入球（第２始動口スイッチ３２ａ（図３参照）で遊技球を検出）すると、第２特図表示装置３０において第２特別図柄が変動表示を開始し、所定時間後に停止する。
【００３７】
第１特別図柄及び第２特別図柄の変動中は、窓部２８ａに配置された演出図柄表示装置５４ｂにおいて各々の特別図柄の変動に連動した演出態様にて、所謂装飾図柄（疑似図柄、演出図柄、飾り図柄等とも呼称する）を表示する。また、第１特別図柄と第２特別図柄は、第１始動口３１と第２始動口３２への入球順に関係なく、第２特別図柄の変動停止を優先して実施する。具体的には、第１特別図柄の保留記憶がある場合、第２特別図柄の変動が停止し且つ第２特別図柄保留記憶が無い状態となって、第１特別図柄保留記憶分の変動を開始する。尚、第１始動口と第２始動口への入球順（記憶が古い順）に変動を開始する構成としても問題ない。
【００３８】
変動後に確定表示した第１特別図柄及び第２特別図柄の態様に応じて後述する大入賞口ソレノイド３３ｃ（図３参照）を駆動させる。大入賞口ソレノイド３３ｃを駆動させると、ほぼ同期して大入賞口ユニット３３の扉部材が駆動して、大入賞口３３ａへの入球（カウントスイッチ３３ｂ（図３参照）での検出）が可能となるように構成されている。
【００３９】
尚、遊技球が１個入賞した際に獲得する賞球数は、第１始動口３１と普通電動役物４０（第２始動口３２）は３個、大入賞口３３ａは１４個、一般入賞口３５ａは１０個に設定されている。
【００４０】
続いて、図３にパチンコ機１の電気配線を示すブロック図を示し、詳細に説明する。尚、このブロック図には、煩雑になる電源回路に関する記載は行わないが、電源が必要な制御装置若しくはアクチュエータ類には電源装置から直接的または間接的に供給される構成となっている。
【００４１】
図３に示す通り、主制御装置５０の入力端には、遊技盤中継端子板６２を介して第１始動口３１に入球した遊技球を検出する第１始動口スイッチ３１ａと、第２始動口３２となる普通電動役物４０に入球した遊技球を検出する第２始動口スイッチ３２ａと、普通図柄作動ゲート４２に入球した遊技球を検出する普通図柄作動スイッチ４２ａと、大入賞口３３ａに入球した遊技球を検出するカウントスイッチ３３ｂと、一般入賞口３５ａに入球した遊技球を検出する一般入賞口スイッチ３５ｂ（右上）、３５ｃ（右下）、３５ｄ（左上）、３５ｅ（左下）とが接続されている。また、裏配線中継端子板６３を介して前面枠３が閉鎖していることを検出する前面枠閉鎖スイッチ３８と、意匠枠４ａ・４ｂが閉鎖していることを検出する意匠枠閉鎖スイッチ３９ａ、３９ｂと、が接続されている。
【００４２】
前面枠閉鎖スイッチ３８及び意匠枠閉鎖スイッチ３９ａ、３９ｂは、内部に電池（１次電池又は２次電池のいずれでも良い）を備えており、通常時（電源が供給され、且つ、電源スイッチ５５ａがＯＮ）は後述する裏配線中継端子板６３から供給されるＤＣ１２Ｖで動作し、電源が供給されないとき（電源遮断又は電源スイッチＯＦＦ）には、電池の電源を利用して前面枠３又は意匠枠４ａ、４ｂの閉鎖状態を出力する構成となっている。また、電池として１次電池を採用する場合には電池の消耗によって交換（電池のみ交換又はリミットスイッチを交換）することとなるが、２次電池を採用する場合には通常時に充電する構成とし、繰り返し利用可能に構成することが望ましい。
【００４３】
主制御装置５０の出力端には、遊技盤中継端子板６２を介して大入賞口３３ａの扉部材を駆動する大入賞口ソレノイド３３ｃと、普通電動役物４０の羽根部材を駆動する普通電役ソレノイド４０ｂと、図柄表示装置中継端子板６４を介して特別図柄を表示する第１特図表示装置２９と、第２特図表示装置３０と、特別図柄の保留数を表示する第１特図保留数表示装置２９ａと、第２特図保留数表示装置３０ａと、普通図柄を表示する普通図柄表示装置４１と、普通図柄の保留数を表示する普図保留数表示装置４１ａと、裏配線中継端子板６３および外部接続端子板６１を介してホールコンピュータ７０と、が接続されている。
【００４４】
主制御装置５０（主制御手段）はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１およびサブ統合制御装置５３に出力する。ここで主制御装置５０と払出制御装置５１とは双方向通信回路として構成され、主制御装置５０とサブ統合制御装置５３（サブ制御手段）とは間に演出中継端子板６５を介して主制御装置５０からサブ統合制御装置５３への一方向通信回路として構成されている。
【００４５】
払出制御装置５１の入力端には、裏配線中継端子板６３を介して球タンク２２またはタンクレール２３内の遊技球が不足していることを検出する球切れスイッチ２２ａまたは２３ａと、裏配線中継端子板６３および払出中継端子板６６を介して払い出した遊技球を検出する払出スイッチ２４ｂと、各種端子板を介することなく下皿１３への経路に遊技球が多数あることを検出する満杯スイッチ１３ａと、が接続されている。払出制御装置５１の出力端には、裏配線中継端子板６３および払出中継端子板６６を介して遊技球を上皿へと払い出す払出モータ２４ａが接続されている
【００４６】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０および発射制御装置５２に出力する。ここで、払出制御装置５１と主制御装置５０とは双方向通信回路として構成され、払出制御装置５１と発射制御装置５２とは払出制御装置５１から発射制御装置５２への一方向通信回路として構成されている。
【００４７】
発射制御装置５２の入力端には、発射を停止するための発射停止スイッチ１９ａと、発射ハンドル１７に遊技者が触れていることを検出するタッチスイッチ２０ａと、が接続されている。発射制御装置５２の出力端には、遊技球を遊技領域２６へ発射するための発射モータ３６が接続されている。発射制御装置５２はＣＰＵ、ＲＯＭ、ＲＡＭを備えず、ＩＣ等で構成されたデジタル回路であり、入力される各種検出信号ならびに払出制御装置５１からの入力に基づいて発射モータ３６の駆動を制御している。
【００４８】
サブ統合制御装置５３の入力端には、遊技者により操作可能な遊技スイッチ１４ａ（本発明の操作部の操作を検出する操作検出手段）が接続されている。サブ統合制御装置５３の出力端には、意匠枠４ａ、４ｂおよび遊技盤８に備えられる各種ＬＥＤ・ランプ３７と、前面枠３およびスピーカユニット２１に備えられるスピーカ１０と、が接続されている。尚、サブ統合制御装置５３と主制御装置５０とは間に演出中継端子板６５を介した主制御装置５０からサブ統合制御装置５３への一方向通信回路として構成され、サブ統合制御装置５３と演出図柄制御装置５４ａとはサブ統合制御装置５３から演出図柄制御装置５４ａへの一方向通信回路として構成されている。
【００４９】
サブ統合制御装置５３はＣＰＵ、ＲＯＭ、ＲＡＭ等の電気部品を備えており、搭載するＲＯＭに記憶されたプログラムに従ってＣＰＵにて処理を実行し、入力される遊技スイッチ１４ａの入力ならびに主制御装置５０から入力されるコマンド（制御信号とも呼称する）に基づいて演出に関わる各種コマンド等を生成し、演出図柄ユニット５４の演出図柄制御装置５４ａに出力する。尚、本実施例では、サブ統合制御装置５３のＲＡＭに記憶された遊技情報を電源断時に保持しない構成としているが、電源装置５５からＶＢＢを供給して記憶保持可能とし、復電時に記憶した遊技情報を元に電源断前の遊技を再開する構成としても何ら差し支えない。
【００５０】
また、サブ統合制御装置５３には、音量を調節する音量調節スイッチ１０ａが備えられ、音量調節スイッチ１０ａの状態（位置）を検出し、その検出結果とスピーカ１０へ送信する内容とを判断し、スピーカ１０から出力する音量をソフト的に制御するように構成されている。例えば、遊技に伴う演出音声やエラー報知の一部（払出し遅延報知、前面枠３、意匠枠４ａ、４ｂ等の枠開放／閉鎖報知など）の音声は、音量調節スイッチ１０ａの状態に応じて変更された音量でスピーカ１０から出力され、その他のエラー報知（特殊報知など）は音量調節スイッチ１０ａの状態に関わらず予め設定された音量でスピーカ１０から出力されるように構成することができる。
【００５１】
次に、遊技機の作動内容について説明する。本実施形態におけるパチンコ機は確率変動機として構成され、第１始動口３１及び第２始動口３２への遊技球入球に基づく当否判定（第１始動入賞検出スイッチ又は第２始動入賞検出スイッチでの遊技球の検出に起因して抽出された乱数値に基づいて特別遊技を実行するか否かの判定）は、通常（低）確率遊技状態と、該通常確率遊技状態に比べて大当りとなる確率が高い高確率遊技状態（確変状態）とのいずれかの遊技状態で実施される。本実施例では低（通常）確率が１／３００、高確率が１／３０に設定されている。
【００５２】
また、普通電動役物４０（第２始動口３２）の作動契機と作動時間を変化させる開放延長機能を備えており、開放延長機能未作動時では、普通図柄の１回の当りに対して普通電動役物４０は０．２秒の開放動作を１回行い、開放延長機能作動時では、普通図柄の１回の当りに対して普通電動役物４０は１．８秒の開放動作を２回行うよう設定されている。また、開放延長機能が作動する遊技状態での第１及び第２特別図柄の変動パターン（変動時間）は、開放延長機能が未作動時の遊技状態で使用する変動パターン選択テーブルよりも平均変動時間が短くなるように設定された変動パターン選択テーブルを用いて選択される構成となっている。これにより、開放延長機能作動時の単位時間あたりの特別図柄の変動回数が、開放延長機能未作動時よりも増加する構成（時短機能）となっており、この時短機能は、開放延長機能の作動開始と終了の契機を同じくして作動する。
【００５３】
尚、開放延長機能作動時には、普通図柄の変動時間を短縮（単位時間当りの普通図柄の変動回数が増加）する時短機能も作動する構成となっている。具体的には、開放延長機能未作動時となる通常時の普通図柄の変動時間は６．２秒に設定され、開放延長機能作動時の普通図柄の変動時間は０．７秒に設定されている。これにより、開放延長機能作動時では単位時間当りの普通図柄の変動回数が増加し、普通電動役物４０の作動契機を大きく増加させている。これにより、単位時間当たりの普通電動役物４０への入球率が増加し、第２特別図柄の変動回数が増えるとともに持球の減少が抑えられる。
【００５４】
次に、図４を用いて、主制御装置５０が実行する始動入賞処理を説明する。始動入賞処理は、第１始動口３１、第２始動口３２に遊技球が入球したとき、又は普通図柄作動ゲート４２を遊技球が通過したときに取得する当否乱数等の種々の乱数を、保留記憶として主制御装置５０に格納（記憶）するとともに、記憶した乱数が予め設定された値か否かに関して、当否判定処理（図５参照）を実施する以前に確認する処理を行い、第１始動口３１及び第２始動口３２への入球に起因する各種コマンドをサブ統合制御装置５３に送信する処理となる。以後、第１始動口３１に遊技球が入球したときに格納される保留記憶を第１保留記憶、第２始動口３２に遊技球が入球したときに格納される保留記憶を第２保留記憶、普通図柄始動ゲート４２を遊技球が通過したときに格納される保留記憶を普図保留記憶として説明する。
【００５５】
本実施形態においては、普通図柄保留数表示装置４１ａ、第１特図保留数表示装置２９ａ、第２特図保留数表示装置３０ａによる各々の点灯数の最大個数は４個（最大保留記憶数が４個）となっているが、これに限るわけではなく、例えばそれぞれの最大記憶個数が８個であってもよい。また、それぞれの保留記憶数が０であっても、第１始動口３１、第２始動口３２に遊技球が入球したとき、又は普通図柄作動ゲート４２を遊技球が通過したときに取得される当否乱数等の種々の乱数は、最大値未満の記憶数がある場合と同様に主制御装置５０に格納される。
【００５６】
始動入賞処理を開始すると、第１始動口スイッチ３１ａが遊技球を検出したか否か判定する(Ｓ１０)。否定判定なら（Ｓ１０：ｎｏ）Ｓ４５に進み、肯定判定なら(Ｓ１０：ｙｅｓ）、主制御装置５０に格納されている第１保留記憶の数が上限値(＝４個)未満か否か判定する(Ｓ２０)。否定判定なら（Ｓ２０：ｎｏ）Ｓ４５に進み、肯定判定であれば(Ｓ２０：ｙｅｓ）、抽出した大当り判定用乱数、大当り図柄決定用乱数１、大当り図柄決定用乱数２、小当り図柄判定用乱数、リーチ決定用乱数、変動パターン決定用乱数を第１保留記憶として記憶し第１保留記憶の数を示す第１保留記憶カウンタに１を加算する（Ｓ２５）。
【００５７】
Ｓ２５に続いては、記憶した第１保留記憶の先読判定を行う（Ｓ３０）。具体的には、大当り判定用乱数の値が大当りを生起する値か否かを確認し、大当り値なら大当り図柄の種類を確認する。大当り判定がハズレなら、小当りを生起する値か否かを確認し、ハズレならリーチ決定用乱数がスーパーリーチとなる値か否かを確認する。スーパーリーチでなければ、リーチとなる値か否かを確認し、変動パターン決定用乱数の値から変動時間を確認する。上記判定を行うことによって、記憶した乱数値が、遊技者に大当りの期待を抱かせる特定の値か否か（はずれでも大当りを期待させる演出（スーパーリーチ等のような大当たりとなる信頼度の高い演出）が可能か否か）を判定する。
【００５８】
続いて、Ｓ３０の判定結果から第１先読判定コマンドを生成してサブ統合制御装置５３に送信し（Ｓ３５）、Ｓ２５で加算した第１保留記憶カウンタの値を示す第１保留数指示コマンドをサブ統合制御装置５３に送信する（Ｓ４０）。
【００５９】
Ｓ４０の処理、又はＳ１０、Ｓ２０の否定判定（Ｓ１０：ｎｏ、Ｓ２０：ｎｏ）に続いては、第２始動口スイッチ３２ａが遊技球を検出したか否か判定する(Ｓ４５)。否定判定なら（Ｓ４５：ｎｏ）Ｓ８０に進み、肯定判定なら(Ｓ４５：ｙｅｓ）、主制御装置５０に格納されている第２保留記憶の数が上限値(＝４個)未満か否か判定する(Ｓ５５)。否定判定なら（Ｓ５５：ｎｏ）Ｓ８０に進み、肯定判定であれば(Ｓ５５：ｙｅｓ）、抽出した大当り判定用乱数、大当り図柄決定用乱数１、大当り図柄決定用乱数２、小当り図柄判定用乱数、リーチ決定用乱数、変動パターン決定用乱数を第２保留記憶として記憶し第２保留記憶数を示す第２保留記憶カウンタに１を加算し（Ｓ６０）、S３０と同様に記憶した第２保留記憶の先読判定を行う（Ｓ６５）。
【００６０】
続いて、Ｓ６５の判定結果から第２先読判定コマンドを生成しサブ統合制御装置５３に送信し（Ｓ７０）、Ｓ６０で加算した第２保留記憶カウンタの値を示す第２保留数指示コマンドをサブ統合制御装置５３に送信して（Ｓ７５）、Ｓ８０に進む。
【００６１】
Ｓ８０では、普通図柄作動スイッチ４２ａが遊技球を検出したか否か判定する(Ｓ８０)。否定判定なら（Ｓ８０：ｎｏ）リターンに抜け、肯定判定なら(Ｓ８０：ｙｅｓ）、主制御装置５０に格納されている普図保留記憶数が上限値(＝４個)未満か否か判定する(Ｓ８５)。否定判定なら（Ｓ８５：ｎｏ）リターンに抜け、肯定判定であれば(Ｓ８５：ｙｅｓ）、抽出した当り判定用乱数と当り図柄決定用乱数とを普図保留記憶として記憶し、普図保留記憶数を示す普図保留記憶カウンタに１を加算し（Ｓ９０）、加算した普図保留記憶カウンタの値を示す普図保留記憶数指示コマンドをサブ統合制御装置５３に送信し（Ｓ９５）、リターンする。
【００６２】
サブ統合制御装置５３は第１及び第２保留記憶数指示コマンドを受信すると、受信したコマンドが示す保留記憶数に応じて演出図柄表示装置５４ｂ上で表示する各保留記憶数を変化させる制御を行う。また、本実施例では、演出図柄表示装置５４ｂ上では普通図柄の保留記憶数表示は行わないが、普図保留記憶数指示コマンドの受信に応じて表示する構成としてもよいし、普図保留記憶数指示コマンド自体を送信しない構成としてもよい。また、普図の先読判定を実施し判定結果をサブ統合制御装置に送信する構成も考えられる。これにより、普通電動役物４０の開放を期待させる先読予告の実施が可能となる。
【００６３】
次に、図５に示したフローチャートを用いて主制御装置５０が行う当否判定処理を説明する。この処理は、第１始動入賞検出スイッチ又は第２始動入賞検出スイッチでの遊技球の検出に起因して抽出された乱数値に基づいて特別遊技を実行するか否かを判定（始動口への遊技球の入球に起因して抽出した乱数値によって大当りを生起させるか否かを抽選）する処理となる。
【００６４】
当否判定処理を開始すると、特図の始動条件が成立しているか否か判定する（Ｓ１００）。この判定処理では、大当り遊技中でないこと、第１特別図柄及び第２特別図柄が変動中又は確定表示中でないことを確認する。否定判定なら（Ｓ１００：ｎｏ）リターンに抜け、肯定判定なら（Ｓ１００：ｙｅｓ）、第２保留記憶が有るか否か判定する（Ｓ１０５）。肯定判定なら（Ｓ１０５：ｙｅｓ）、Ｓ１１５に進み、否定判定なら（Ｓ１０５：ｎｏ）第１保留記憶が有るか否か判定する（Ｓ１１０）。否定判定なら（Ｓ１１０：ｎｏ）リターンに抜け、肯定判定なら（Ｓ１１０：ｙｅｓ）、Ｓ１１５に進む。Ｓ１０５とＳ１１０の判定順により、第２保留記憶の当否判定を優先して実施する構成となっている。尚、本実施例では、特別図柄が複数（第１特別図柄と第２特別図柄）の構成となっているが、特別図柄を１つとした構成であってもその効果に何ら変わりはない。
【００６５】
Ｓ１１５では確変フラグの値が０か否か判定する（Ｓ１１５）。確変フラグは、主制御装置５０が記憶する値であり、値が「０」のときは、大当り確率が通常遊技状態中（通常確率）であることを、値が「１」のときは、確変遊技状態中（高確率）であることを主制御装置５０が判断するための値である。肯定判定なら（Ｓ１１５：ｙｅｓ）、Ｓ１２０に進み、否定判定なら（Ｓ１１５：ｎｏ）高確率中の処理に進む。高確率中の処理は、大当り確率のみが異なる（高くなる）処理となるため説明は割愛し、通常確率時の処理のみ以下に説明する。
【００６６】
Ｓ１２０では、保留記憶のシフト処理を行い（Ｓ１２０）、これにより最も古い保留記憶を当否判定の対象とするとともに、保留記憶数を示す保留記憶カウンタから１を減算する。
【００６７】
続く、大当り判定用乱数比較処理（Ｓ１２５）では、当否判定の対象とした保留記憶の大当り判定用乱数値と予め設定された当否判定テーブルとを比較して、判定対象の乱数値が当否判定テーブル内の判定値と一致するか比較する。当否判定テーブルは通常確率（低確率１／３００）用と高確率（１／３０）用の２種類のテーブルが設定してあり、当否判定時の遊技状態が通常遊技（確変フラグ「０」）であれば通常確率用の当否判定テーブルを用いて比較し、高確率の遊技状態（確変フラグ「１」）であれば高確率用の当否判定テーブルを用いて比較する。このように、本実施形態では、Ｓ１００にて肯定判定、そして、Ｓ１０５或いはＳ１１０にて肯定判定した場合、所定条件が成立したものとして、Ｓ１２５の当否判定を実行するものである。
【００６８】
続くＳ１３０の処理では、大当り判定用乱数の比較処理（Ｓ１２５）の結果が大当り（判定値と同一）であるか否か判定する（本実施例では１／３００）。肯定判定なら（Ｓ１３０：ｙｅｓ）、図柄モード設定処理を行う（Ｓ１３５）。図柄モード設定処理では、当否判定の対象とした保留記憶の種類（第１保留記憶又は第２保留記憶）と、判定対象となる保留記憶の大当り図柄決定用乱数１に基づいて、大当り遊技の内容と大当り遊技終了後の遊技状態を決定する図柄モードを設定する（Ｓ１３５）。続いて、設定した図柄モードの種類と判定対象となる保留記憶の大当り図柄決定用乱数２に基づいて大当り図柄選択処理を行う（Ｓ１４０）。これは、図柄モードの設定によって決定した大当りの種類（大当り遊技の内容と大当り遊技終了後の遊技状態）を大当り図柄によって報知するために、図柄モードの種類毎に設定された図柄群の中から表示する図柄を決定する処理となる。
【００６９】
次にＳ１３５で設定した図柄モードに基づいてモードバッファ設定処理を行う（Ｓ１４５）。モードバッファは当否判定時に決定した大当り遊技終了後の遊技状態の内容を、該遊技状態を設定する大当り遊技終了時まで記憶する装置である（大当り遊技中は遊技状態を設定する確変フラグ及び時短フラグをクリアする必要があるため）。モードバッファとしては、具体的な遊技内容（確変機能および開放延長機能（時短機能）の作動とその作動回数）は記憶せず、複数種類の具体的な遊技内容のそれぞれに対応した値を記憶する構成となっている。なお、予め上記具体的な遊技内容まで決定且つ記憶しておいて、大当たり遊技終了後に該記憶内容を参照してこれを実行するようにしても良い。
【００７０】
次に、Ｓ１３５で設定した図柄モードに基づいて大当り遊技の内容となる大入賞口の開放パターン設定処理を行い（Ｓ１５０）、当否判定の対象とした保留記憶のリーチ決定用乱数および変動パターン決定用乱数に基づいて、第１特別図柄表示装置２９又は第２特別図柄表示装置３０、及び演出図柄表示装置５４ｂに表示する図柄の変動時間となる変動パターンを、変動パターン選択テーブルから選択する（Ｓ１５５）。
【００７１】
次に、選択した大当り図柄および変動パターンの情報を、変動指示信号（変動指示コマンド、制御信号等と呼称する場合もある）としてサブ統合制御装置５３へ送信する（Ｓ１６０）。この情報を受信したサブ統合制御装置５３からの指示に基づいて、演出図柄制御装置５４ａは演出図柄表示装置５４ｂを制御し、大当り図柄および変動パターンの情報に対応する図柄の変動表示を開始する。サブ統合制御装置５３への送信とほぼ同時に、主制御装置５０は、第１特別図柄表示装置２９又は第２特別図柄表示装置３０を直接制御して特別図柄の変動を開始する。
【００７２】
Ｓ１３０が否定判定、即ちハズレなら（Ｓ１３０：ｎｏ）、大当り判定用乱数の比較処理（Ｓ１２５）の結果が小当りであるか否か判定し（１／１５０）（Ｓ１６５）、肯定判定なら（Ｓ１６５：ｙｅｓ）、小当り図柄を選択し（Ｓ１７０）、続いて小当り遊技の開放パターン設定処理を行い（Ｓ１５０）、小当り図柄に対応する変動パターン選択処理を行い（Ｓ１５５）、小当り図柄および変動パターンの情報となる変動指示信号（変動指示コマンド）をサブ統合制御装置５３へ送信する（Ｓ１６０）。この情報を受信したサブ統合制御装置５３からの指示に基づき演出図柄制御装置５４ａは演出図柄表示装置５４ｂを制御し、小当り図柄および変動パターンの情報に対応する図柄の変動表示を開始する。サブ統合制御装置５３への送信とほぼ同時に、主制御装置５０は、第１特図表示装置２９又は第２特図表示装置３０を直接制御して特別図柄の変動を開始する。
【００７３】
Ｓ１６５が否定判定なら（Ｓ１６５：ｎｏ）、ハズレ図柄を選択し（Ｓ１７５）、続いてハズレ図柄に対応する変動パターン選択（設定）処理を行い（Ｓ１５５）、ハズレに関する図柄及び変動パターンの情報となる変動指示信号（変動指示コマンド、制御信号等と呼称する場合もある）をサブ統合制御装置５３へ送信する（Ｓ１６０）。この情報を受信したサブ統合制御装置５３からの指示に基づき演出図柄制御装置５４ａは演出図柄表示装置５４ｂを制御し、ハズレ図柄および変動パターンの情報に対応する図柄の変動表示を開始する。サブ統合制御装置５３への送信とほぼ同時に主制御装置５０は、第１特図表示装置２９又は第２特図表示装置３０を直接制御して特別図柄の変動を開始する。
なお、上述したＳ１６０にて送信される変動指示コマンドは、後述する変動指示コマンド受信処理（図６）のＳ２００にて、受信の可否を判定される対象となるコマンドである。
【００７４】
以上が当否判定処理の説明となる。本実施例では、図４に示したように、始動入賞処理時に当否判定結果を報知する図柄の種類と変動パターンを選択する乱数（大当り図柄決定用乱数１、大当り図柄決定用乱数２、小当り図柄判定用乱数、リーチ決定用乱数、変動パターン決定用乱数）を取得したが、これらの乱数を当否判定処理時に取得する構成であってもよい。
【００７５】
次に、図６に示したフローチャートを用いて、サブ統合制御装置５３が実行する変動指示コマンド受信処理を説明する。この処理は、主制御装置５０から受信する変動指示コマンド（制御信号とも呼称する場合がある）の種類と、該受信時にサブ統合制御装置５３が抽出する乱数値とに応じて、演出図柄表示装置５４ｂ上に表示する変動表示態様を選択し変動表示の開始を指示する処理を主とし、遊技ボタン１４（本願発明の操作部に相当）の操作が可能な演出態様が選択された場合は、選択した変動パターンに基づいて変動表示が開始されてから遊技ボタン１４の操作が可能となるまでの待機時間と、該操作の有効時間（本願発明の有効期間に相当）と、該待機時間中であることを示すフラグ（遊技ボタン操作待機フラグ）をセットする処理を行う。加えて、遊技ボタン１４の操作が行われた場合に実行する予告演出種別（本実施形態では、台詞の枠色として、金、赤、および白の何れかを表示することで期待度報知する枠色報知演出を例示）を、操作促進報知の有無等に基づいて選択する処理も併せて行う。このように、本実施形態では、遊技ボタン１４の操作に先立って、予め、予告演出種別を選択決定するように構成されている。
【００７６】
なお、上述したように本実施形態では、先ず操作促進報知を実行するか否かを決定し、次いで予告演出種別を決定する構成とした。しかし、これに限らず、例えば予め、操作促進報知を行う場合に実行する予告演出種別と、操作促進報知を行わない場合に実行する予告演出種別とがセットとして決定されており、操作促進報知の有無に基づいて自ずと予告演出種別も決定される構成であっても良い。これにより、操作促進報知の有無と、予告演出種別とを、個別に段階的に選択決定する制御処理を行わなくても良く、制御の簡素化が可能となる。
また、他の方法として、先に予告演出種別を決定しておいて、その後に操作促進報知を行うか否かを決定するように構成しても良い。このように構成することにより、本実施形態の決定順序に限らず、制御処理の自由度が向上する。
このように、操作促進報知が遅延した場合の方が、遅延しない場合よりも期待度の高い予告演出を出し易い構成であれば、上記様々な制御処理を採用しても良い。
【００７７】
本処理を開始すると、主制御装置５０から変動指示コマンドを受信したか否か判定する（Ｓ２００）。否定判定なら（Ｓ２００:ｎｏ）リターンし、肯定判定なら（Ｓ２００：ｙｅｓ）、振分乱数１を抽出し（Ｓ２０５）、サブ統合制御装置５３が備える保留球数カウンタのデクリメントを行い（Ｓ２１０）、続くＳ２１２において、受信した変動指示コマンドの種類とＳ２０５で抽出した振分乱数１とに応じて、サブ統合制御装置５３が記憶する複数種類の演出変動態様（演出態様とも呼称する）の中から演出図柄表示装置５４ｂに表示する１つの演出変動態様と確定表示する演出図柄とを選択する（Ｓ２１２）。選択される演出態様の中には、遊技ボタン１４の操作が有効となる演出態様も複数含まれており、演出態様の違いにより大当りの期待感（大当たりとなることの信頼度）が異なる内容となっている。
【００７８】
Ｓ２１２に続いては、Ｓ２１２で選択した演出態様が遊技ボタン１４の操作が無いものか否かを判定する（Ｓ２１５）。
つまり、演出態様の種別として、Ｓ２１２で選択された演出態様の内容が、遊技者による遊技ボタン１４を所定の態様にて操作されることを条件として、大当たりとなることの信頼度を示す信頼度演出（例えば、後述する台詞枠を所定の色彩にて表示する演出等。図９、図１０及び図１１等を参照）を実行することが予め組み込まれた演出態様種別ではないか否か、を判定する処理である。更に言えば、そのような遊技ボタン１４の操作に基づいて信頼度演出が実行される演出ではないか否か、ということは、遊技ボタン１４が有効とならないか否か、という判定と、本実施形態では同義である。但し、演出種別の判定と、遊技ボタン１４の有効か否かの判定を別の判定処理にて行うように構成したとしても良い。
【００７９】
次いで、否定判定、即ち、遊技ボタン１４の操作が有効となる演出態様であったなら（Ｓ２１５：ｎｏ）、Ｓ２２２に処理を移行する。
サブ統合制御装置５３は、Ｓ２２２において、予告演出種別選択処理を実行し、Ｓ２２５に処理を移行する。Ｓ２２２の予告演出種別選択処理で、サブ統合制御装置５３は、当否判定の結果、及びＳ２１２において選択された演出態様の内容を参照して、後述する操作促進報知８６（図１０（ｃ）参照）の実行の有無等に基づいて、予告演出の種別（枠色報知演出の金、赤、又は白、の何れか）を選択決定する。該選択決定された予告演出の種別を示すデータを、予告演出種別バッファに格納する処理を行う。該バッファに格納されたデータは、後述する予告演出態様表示指示の処理（Ｓ３６０、やＳ１３６０）にて参照されて、該データが示す種別の予告演出が実行されるように構成されている。
【００８０】
ここで、サブ統合制御装置５３がＳ２２２で選択決定する、本実施形態の上記各種予告演出種別について、図９を参照して説明する。図９は、本実施形態のサブ統合制御装置５３が備える「予告演出選択テーブル」の図表である。本実施形態の予告演出（枠色報知演出）は、本願発明の信頼度演出の一例として、例えば図１０（ｄ）や図１０（ｆ）に示す予告演出８３のように、ライオンの台詞の枠色（キャラクタ色と図示）として実行される。つまり、図９に示すように、「金」、「赤」、および「白」の３色の異なる枠色によって台詞の枠を表示することで、当該変動表示の結果が大当たりとなることに対する信頼度を演出報知する、枠色報知演出である。因みに、本実施形態の予告演出の大当たり信頼度は、「金」の場合は７０％と最も高く、「赤」の場合は２０％で、枠色が「白」の場合は１０％と最も低く、設定されている。つまり、枠色が、「金」で表示されたときには７０％の割合で、「赤」で表示されたときには２０％の割合で、そして、「白」で表示されたときには１０％の割合で、大当りとなるように出現率が設定されている。これにより、台詞の枠色が何れの色彩で表示されたかによって遊技者は大当たりとなる信頼度を認知し予想することができる。
【００８１】
さらに本実施形態では図９に示すように、このような異なるキャラクタ色（台詞の枠色）で実行される予告演出として、枠色報知演出（枠色が、金、赤、又は白にて表示することで期待度報知する演出）を、操作促進報知が実行される場合と、実行されない場合で異なる出現割合にて構成される。
例えば図９を参照して説明すると、操作促進報知８６が表示される場合、出現割合は、１０％で「金」、３０％で「赤」、そして残りの６０％で「白」で設定されている。一方、操作促進報知８６が表示されない場合、出現割合は、２５％で「金」、残りの７５％で「赤」で設定され、この場合には「白」が出現することは無いよう設定されている。
これにより、同じく遊技ボタン１４の操作が為されたとしても、操作促進報知８６が表示されるか否かの違いによって、枠色報知演出の何れかが選択されることで、信頼度が異なるように構成される。
また、操作促進報知が実行される場合は、「金」、「赤」、および「白」の３色の何れかが図示出現割合にて出現するが、対して、操作促進報知が実行されない場合は、最も信頼度の低い「白」は出現することなく、「金」、または「赤」の何れかが出現する。さらに、最も信頼度の高い「金」の出現割合に関して、操作促進報知が実行される場合は１０％であるのに対して、操作促進報知が実行されない場合は２５％となっており、「赤」の出現割合に関して、操作促進報知が実行される場合は３０％であるのに対して、操作促進報知が実行されない場合は７５％となっている。これにより、操作促進報知８６が表示されているときに遊技ボタン１４の操作が為された場合よりも、操作促進報知８６が表示されていないときに遊技ボタン１４の操作が為された場合の方が、信頼度の高い予告演出を実行可能に構成されている。
本実施形態では、このような「予告演出選択テーブル」を備えることで、各条件に応じて適宜、予告演出を選択し実行可能となっている。
【００８２】
なお、操作促進報知８６が表示される場合と、表示されない場合において、仮に予告演出の表示色（台詞の枠色）が同じ色であったとしても、大当りとなる可能性は、操作促進報知８６が表示される場合よりも、表示されない場合の方が高くなるように設定しても良い。これにより、同じ表示色であっても、操作促進報知８６が表示されていない時に操作した場合の方が遊技者に高い期待を抱かせるので、操作促進報知８６が表示されない場合でも遊技者は操作を積極的に行うようになり、遊技の興趣が向上する。
【００８３】
再度、図６に戻って、サブ統合制御装置５３は、Ｓ２２５において、遊技ボタン操作待機フラグに１をセットする（Ｓ２２５）。遊技ボタン操作待機フラグは、サブ統合制御装置５３が記憶する値であり、値が０なら遊技ボタン１４の操作が有効となる演出表示を実施していない、もしくは実施していてもすでに有効時間に至っている状態であることを、値が１なら遊技ボタン１４の操作が有効となる演出表示を開始し、未だ操作が有効となる時間に至っていない状態であることをサブ統合制御装置５３が判断する。
【００８４】
Ｓ２２５に続いては、変動表示が開始してから遊技ボタン１４の操作が有効となるまでの待機時間を計時する待機タイマをセットし（Ｓ２３０）、待機時間が経過した後の遊技ボタン１４の操作有効時間（有効期間）を計時する有効タイマをセットする（Ｓ２３５）。待機タイマはセットと同時に計時をスタートするが、有効タイマは後述する有効期間フラグに１がセットされると計時を開始する。有効タイマの計時時間を待機時間＋有効時間として、待機タイマと同時に計時を開始してもよい。なお、本実施形態の有効タイマの値は単一の値とする構成としている。しかし、有効タイマの値を複数種類備え、Ｓ２１２で選択した演出態様の種類とＳ２０５で抽出した振分乱数１の値とに応じて一つの値を選択しセットするようにしてもよい。
【００８５】
サブ統合制御装置５３は、Ｓ２３５に続いて移行するＳ２４０にて、操作促進が有るか否かを判定し（Ｓ２４０）、肯定判定であれば（Ｓ２４０：ｙｅｓ）、Ｓ２４５に処理を移行し、否定判定であれば（Ｓ２４０：ｎｏ）、Ｓ２２０に処理を移行する。Ｓ２４０の判定処理を詳述すると、上述したＳ２１２において選択された当該変動の演出態様の種別が、遊技ボタン１４を所定の態様にて操作するように遊技者に促す（促進する）報知演出（例えば、後述する図１０（ｃ）の操作促進報知８６等）の実行が予め組み込まれた演出態様であるか否か、を判定する処理である。なお、Ｓ２４０は、上記Ｓ２１５で否定判定された場合に移行されることから、当該判定にて肯定判定であれば、今回の変動の演出態様は、操作促進報知８６の表示を実行し且つ遊技ボタン１４の操作に基づきＳ２２２で選択された予告演出つまり信頼度演出の実行が予定された内容であるし、一方、当該判定にて否定判定であれば、今回の変動の演出態様は、操作促進報知８６の表示を実行しないが、遊技ボタン１４の操作に基づきＳ２２２で選択された予告演出つまり信頼度演出の実行のみが予定された内容である。
【００８６】
サブ統合制御装置５３は、Ｓ２４０で肯定判定となった場合に移行するＳ２４５にて、操作促進フラグに１を設定する処理を行い、Ｓ２２０に処理を移行する。
【００８７】
Ｓ２４５、Ｓ２４０の否定判定（Ｓ２４０：ｎｏ）又はＳ２１５の肯定判定（Ｓ２１５：ｙｅｓ）に続いては、Ｓ２１２で選択した演出変動態様及び確定図柄を演出図柄表示装置５４ｂに表示する指示信号を演出図柄制御装置５４ａに送信し（Ｓ２２０）リターンする。
【００８８】
次に、図７に示したフローチャートを用いて、サブ統合制御装置５３が実行する遊技ボタン操作待機処理を説明する。本処理は、本発明の操作促進手段及び非操作促進手段を含み、遊技ボタン１４の操作が有効になるまでの待機時間を計測し、待機タイマが所定値になると遊技ボタン１４の操作を有効（操作に応じて信頼度演出が表示可能）とする。
【００８９】
サブ統合制御装置５３は、本処理を開始すると、遊技ボタン操作待機フラグが１か否か判定し（Ｓ２５０）、否定判定なら（Ｓ２５０：ｎｏ）リターンし、肯定判定なら（Ｓ２５０：ｙｅｓ）、待機タイマとなるカウンタに＋１し（Ｓ２５５）、待機タイマの値が第１所定値（本実施形態では、一例として５ｓｅｃに対応したカウンタ値）に達したか否か判定する（Ｓ２６０）。否定判定なら（Ｓ２６０：ｎｏ）リターンし、肯定判定なら（Ｓ２６０：ｙｅｓ）、有効期間フラグに１をセットし（Ｓ２６５）、待機タイマをクリアし（Ｓ２７０）、遊技ボタン操作待機フラグに０をセットし（Ｓ２７５）、Ｓ２７７に処理を移行する。
【００９０】
サブ統合制御装置５３は、Ｓ２７７において、操作促進フラグに１がセットされているか否かの判定処理を実行し（Ｓ２７７）、肯定判定であれば（Ｓ２７７：ｙｅｓ）、Ｓ２８０に処理を移行し、否定判定であれば（Ｓ２７７：ｎｏ）、本処理を終了する。操作促進フラグは、上述した「変動指示コマンド受信処理」（図６）のＳ２４５にて、今回の変動の演出態様について操作促進報知８６の表示を実行することが予定された内容である場合に１が設定されるフラグである。
【００９１】
サブ統合制御装置５３は、Ｓ２８０において、遊技ボタン１４の操作を遊技者に促進する操作促進報知８６を演出図柄表示装置５４ｂに表示開始する指示信号を演出図柄制御装置５４ａに送信する処理を実行し、本処理を終了する。
【００９２】
なお、本実施形態では、遊技ボタン操作待機フラグに１が設定されている間は、有効期間フラグが１に設定されない構成となっているが、待機状態を備えずに変動表示の開始に伴って即時有効期間が開始されるようにしても良い。
【００９３】
また、本実施形態では、操作促進フラグに１が設定されているか否か（Ｓ２７７の判定処理）に関係無く、その直前の処理にて有効期間フラグに１が設定される（Ｓ２６５）ので、遊技者は操作促進報知８６の表示が行われていなくても、遊技ボタン１４が有効かもしれないと期待感を抱くことができる。
【００９４】
なお、Ｓ２７７の肯定判定に基づいてＳ２８０を実行する処理が、本願発明の操作促進手段に相当し、Ｓ２７７の否定判定に基づいて本処理を終了することでＳ２８０を非実行とする処理が、本願発明の非操作促進手段に相当する。
【００９５】
有効期間フラグは、サブ統合制御装置５３が記憶する値であり、値が０なら遊技ボタン１４の操作が無効であることを、値が１なら遊技ボタン１４の操作が有効であることをサブ統合制御装置５３が判断する。
【００９６】
次に、図８に示したフローチャートを用いて、実施例１においてサブ統合制御装置５３が実行する遊技ボタン操作処理１を説明する。本処理は、本発明の信頼度演出実行手段を含む処理となる。
【００９７】
サブ統合制御装置５３は、本処理を開始すると、有効期間フラグが１か否か判定し（Ｓ３００）、否定判定なら（Ｓ３００：ｎｏ）リターンし、肯定判定なら（Ｓ３００：ｙｅｓ）有効タイマを成すカウンタに＋１し（Ｓ３０５）、Ｓ３３５に処理を移行する。
なお、有効タイマとは、有効期間を計時するためのタイマであって、本実施形態では一例として、１０ｓｅｃの有効期間が設定されている。有効タイマの判定値として、後述する第２所定値を備える。第２所定値は、１０ｓｅｃに対応したカウント値である。同様に、上述した待機タイマの判定値として、本実施形態では第１判定値を備え、該第１判定値は、５ｓｅｃに対応したカウント値として設定されている。これによって、それぞれの期間が満了したか否かが判定可能となっている。よって、本実施形態では、５ｓｅｃの待機期間の終了後に、１０ｓｅｃの有効期間が開始される。
【００９８】
サブ統合制御装置５３は、Ｓ３３５において、有効タイマが第２所定値よりも小さいか否かを判定し（Ｓ３３５）、肯定判定であれば（Ｓ３３５：ｙｅｓ）、Ｓ３４０に処理を移行し、否定判定であれば（Ｓ３３５：ｎｏ）、Ｓ３６５に処理を移行する。すなわち、未だ１０ｓｅｃの有効期間中か否かを判定する。
【００９９】
サブ統合制御装置５３は、Ｓ３４０において、遊技ボタン操作信号を受信したか否かを判定し（Ｓ３４０）、肯定判定であれば（Ｓ３４０：ｙｅｓ）、Ｓ３４５に処理を移行し、否定判定であれば（Ｓ３４０：ｎｏ）、本処理を終了する。すなわち、遊技ボタン１４が操作されたことにより生成される遊技ボタン操作信号（遊技スイッチ１４ａ信号）を受信したか否か判定する。
【０１００】
サブ統合制御装置５３は、Ｓ３４５において、操作促進フラグに１が設定されているか否かを判定し（Ｓ３４５）、肯定判定であれば（Ｓ３４５：ｙｅｓ）、Ｓ３５５に処理を移行し、否定判定であれば（Ｓ３４５：ｎｏ）、Ｓ３６０に処理を移行する。すなわち、有効期間中において、操作促進フラグの設定状態に基づき、操作促進報知８６が演出図柄表示装置５４ｂに表示されている状態か否かを判定する。つまり、本実施形態では、有効期間であっても操作促進報知８６が表示されない状態を、発生可能に構成されている。
【０１０１】
サブ統合制御装置５３は、Ｓ３５５において、演出図柄表示装置５４ｂにおける操作促進報知８６の表示について、これを終了する指示信号を、演出図柄制御装置５４ａに送信する処理を実行し、Ｓ３６０に処理を移行する。
【０１０２】
サブ統合制御装置５３は、Ｓ３６０において、上述したＳ２２２で予め選択されて予告演出種別バッファに格納されたデータを参照し、該データが示す予告演出種別に設定されたキャラクタ色（予告演出種別、すなわち本実施形態では枠色表示）を、演出図柄表示装置５４ｂにて表示実行する処理について、これを指示する指示信号を、演出図柄制御装置５４ａに送信する処理を実行し、Ｓ３６５に処理を移行する。当該処理により、予めＳ２２２で選択決定されたキャラクタ色の表示が演出図柄制御装置５４ａにて実行される。
なお、本実施形態では、上述したように、予告演出種別の選択を、当否判定時に実行されるＳ２２２にて行う構成となっているが、これに限定せず、例えば遊技ボタン１４が操作された時点すなわちＳ３４０の肯定判定後に選択及び実行する構成としても良い。
【０１０３】
サブ統合制御装置５３は、Ｓ３６５において、有効期間フラグに０を設定して、次いで、Ｓ３７０にて有効タイマをクリアし、Ｓ３７５に処理を移行する。
【０１０４】
サブ統合制御装置５３は、Ｓ３７５において、操作促進フラグに１が設定されているか否かを判定し（Ｓ３７５）、肯定判定であれば（Ｓ３７５：ｙｅｓ）、Ｓ３８０に処理を移行し、否定判定であれば（Ｓ３７５：ｎｏ）、本処理を終了する。
サブ統合制御装置５３は、Ｓ３８０において、操作促進フラグに０を設定して、本処理を終了する。
【０１０５】
図１０および図１１を参照して、本実施形態の演出図柄表示装置５４ｂに表示される予告演出の表示内容を説明する。
先ず、図１０では、結果がハズレとなる変動表示であって、「変動指示コマンド受信処理」（図６）のＳ２１２にて選択された演出態様として、遊技ボタン１４の操作に基づいて所定の予告演出（枠色を所定の信頼度で表示して報知する演出）を行うものであって、操作促進報知８６を表示することで遊技者に遊技ボタン１４の操作を促し、「変動指示コマンド受信処理」（図６）のＳ２２２にて操作促進報知が実行される場合の枠色報知演出の内で、「赤」のキャラクタ色が選択された場合を前提とした、変動表示の態様を説明する。
【０１０６】
図１０（ａ）に示すように、サブ統合制御装置５３によって演出図柄表示装置５４ｂのＬＣＤ画面上には、特別図柄に対応して連動表示される装飾図柄８０が「１３２」の態様にて確定表示されている。また、ＬＣＤ画面の右下部には、特別図柄の保留記憶に対応した保留記憶図柄が、左から古い記憶順に従って、保留記憶図柄８１ａ、８１ｂ、および８１ｃの順で表示されている。なお、次に消化される保留記憶図柄８１ａに対応した保留記憶が、図１０で説明することとなる上述した変動表示の対象である。
【０１０７】
保留記憶図柄８１ａに対応した保留記憶が消化されて、該保留記憶に基づく変動表示が開始されると、図１０（ｂ）に示すように、装飾図柄８０が変動表示を開始し、保留記憶図柄８１ａは消去され、保留記憶図柄８１ｂ、および８１ｃはそれぞれ、左方向に向かってシフト処理される。
この変動表示開始に伴って、「変動指示コマンド受信処理」（図６）では、Ｓ２００で肯定判定され、Ｓ２１２では前提となる上述した演出態様が選択され、Ｓ２１５にて否定判定され、Ｓ２２２で予告演出種別が選択され、Ｓ２３０で待機タイマがセットされ、Ｓ２４５で操作促進フラグに１がセットされる。
【０１０８】
図１０（ｂ）に示す変動開始から、待機タイマの第１所定値に相当する５ｓｅｃが経過すると、「遊技ボタン操作待機処理１」（図７）のＳ２６０が肯定判定となり、Ｓ２６５にて有効期間フラグに１が設定され、Ｓ２８０にて操作促進表示開始の指示が実行される。このような制御処理の結果、図１０（ｃ）に示すように、装飾図柄８０は縮小され且つＬＣＤ画面の右上に変位して表示される。そして、操作促進報知８６がＬＣＤ画面の中央に表示されることで、遊技者に現時点が遊技ボタン１４の有効期間であることを知らしめ、且つ操作を促すこととなる。
【０１０９】
有効期間である１０ｓｅｃ中に、且つ操作促進報知８６が表示されている状態にて、遊技ボタン１４の押下操作が為されると、「遊技ボタン操作処理１」（図８）のＳ３４０が肯定判定となり、上述したように、Ｓ２２２で選択された予告演出種別として「赤」のキャラクタ色がＳ３６０にて実行されると、図１０（ｄ）に示すように、ライオンのキャラクタによる「アツイ！」という台詞が表示され、且つ該台詞の枠が「赤」色となる予告演出８３が表示される。
【０１１０】
内部的にハズレとなっている当該変動表示が進むと、図１０（ｅ）に示すように、装飾図柄８０と予告演出８３が位置を入れ替わり、装飾図柄８０はリーチ表示態様となる。しかし、さらに進展すると、図１０（ｆ）に示すように、装飾図柄８０は「７２７」のハズレ態様にて確定表示され、ライオンのキャラクタによる台詞は「残念」に変更表示されて変動表示が終了する。
このような予告演出の表示態様に対して、図１１に示すような態様にて表示することも本実施形態は可能である。図１１を参照して、異なる態様について説明する。
【０１１１】
図１１では、結果が大当たりとなる変動表示であって、「変動指示コマンド受信処理」（図６）のＳ２１２にて選択された演出態様として、遊技ボタン１４の操作に基づいて所定の予告演出（枠色を所定の信頼度で表示して報知する演出）を行うものであって、操作促進報知８６を表示せず遊技者に遊技ボタン１４の操作を促すことなく、「変動指示コマンド受信処理」（図６）のＳ２２２にて操作促進報知が実行されない場合枠色報知演出の内で、「金」のキャラクタ色が選択された場合を前提とした、変動表示の態様を説明する。
【０１１２】
図１１（ａ）および図１１（ｂ）は、上述した図１０（ａ）および図１０（ｂ）と同じであるので説明を割愛する。
図１１（ｂ）に示す変動表示開始に伴って、「変動指示コマンド受信処理」（図６）では、Ｓ２００で肯定判定され、Ｓ２１２では前提となる上述した演出態様が選択され、Ｓ２１５にて否定判定され、Ｓ２２２で予告演出種別が選択され、Ｓ２３０で待機タイマがセットされるが、Ｓ２４０で否定判定となり、Ｓ２４５で操作促進フラグに１がセットされることはない。
【０１１３】
図１１（ｂ）に示す変動開始から、待機タイマの第１所定値に相当する５ｓｅｃが経過すると、「遊技ボタン操作待機処理１」（図７）のＳ２６０が肯定判定となり、Ｓ２６５にて有効期間フラグに１が設定されるが、当該変動表示では、Ｓ２７７で否定判定となるためＳ２８０による操作促進表示開始の指示は実行されることがない。したがって、図１１（ｃ）は、上述した図１０（ｃ）とは異なり、遊技者に操作を促す操作促進報知８６は表示されない。
よって、遊技者には、現時点は、未だ待機期間中なのか、有効期間中であるのか、といった一切の情報が提供されていない。このため、遊技者は自らの勘に頼って、現時点が有効期間中であると判断すると、遊技ボタン１４の押下操作を為すこととなる。本実施形態では、このように何ら操作促進を報知するものが無い中で、予告演出を享受するために遊技者が自らの判断によって、タイミングを計りながら、遊技ボタン１４を操作する、という興趣を備えている。
【０１１４】
有効期間である１０ｓｅｃ中に、且つ操作促進報知８６が表示されていない状態にて、遊技ボタン１４の押下操作が為されると、「遊技ボタン操作処理１」（図８）のＳ３４０が肯定判定となり、上述したように、Ｓ２２２で選択された予告演出種別として「金」のキャラクタ色がＳ３６０にて実行されると、図１１（ｄ）に示すように、ライオンのキャラクタによる「激アツ！！」という台詞が表示され、且つ該台詞の枠が「金」色となる予告演出８４が表示される。操作促進報知８６が表示されていない状態でタイミング好くボタン操作が成功すると、同じ演出群の中でも、操作促進報知８６が表示された場合よりも、信頼度の高い枠色が実行され易く構成されている。このように、枠色が信頼度の高い表示となることで、遊技者に期待させることができる。なお、上記「操作促進報知８６が表示されていない状態」における好いタイミングとは、具体的には、操作促進フラグに１が設定されている場合であれば、本来は操作促進報知８６が表示されている期間（タイミング）という意味である。よって、操作促進報知８６が表示されていなくても、遊技者は経験からタイミングを見計らって操作する興趣を享受できる。このように、操作促進報知８６の表示の有無に関係無く、何れにおいても同一のタイミングにて遊技者が操作することに成功すると、予告演出を享受することができる。
【０１１５】
さらに詳述すると、台詞予告は、所定のタイミングで有効となるもの、すなわち、操作促進報知の有無に関係無く演出の流れ（段階、プロセス）において略同一のタイミング（変動開始からの時間、又は、「演出的なタイミング」）で有効となるものである。よって、操作促進報知が行われなくても、遊技者は遊技の経験から、このタイミングは台詞予告を実行する（有効となる）タイミングである、ということを把握（認知、想定）することが出来るものであることが好適である。なお、上記「演出的なタイミング」とは、例えば、●●リーチ中や、○○予告中における所定の演出中、といったタイミングを意味しており、該所定の演出が行われていることで、遊技者をして今は台詞予告が実行されるタイミングであることを容易に推知できるタイミングである。つまり、操作促進報知がたとえ為されていなくても、台詞予告が実行されるタイミングであることを、遊技者が容易に認知可能な特別な演出が行われるタイミング、という意味である。
【０１１６】
内部的に大当たりとなっている当該変動表示が進むと、図１１（ｅ）に示すように、装飾図柄８０と予告演出８４が位置を入れ替わり、装飾図柄８０はリーチ表示態様となる。そして、さらに進展すると、図１１（ｆ）に示すように、装飾図柄８０は「７７７」の大当たり態様にて確定表示され、ライオンのキャラクタによる台詞は「大当り」に変更表示されて変動表示が終了する。
以上が、本実施形態の演出図柄表示装置５４ｂに表示される予告演出の表示説明である。
【０１１７】
［実施例１の変形例］
上述した実施例１に係る変形例について、以下に説明する。実施例１の遊技ボタン１４は、特に遊技者が認知出来るような状態変化を可能とする構成ではなかった。しかし、このような状態変化を可能とする遊技ボタン１４を備えるようにしても良い。
詳述すると、遊技ボタン１４は、発光部材を内蔵或いは外装する構成としてもよい。これによって、所定のタイミングにて遊技ボタン１４を視覚的に遊技者に対して明示するために発光部材を発光させる機能（発光に関しては、単に白色にて発光するものは勿論のこと、種々の色調にて発光する構成も含む）を備えるようにしてもよい。
また、上述したスピーカ１０とは別に、遊技ボタン１４に固有のスピーカを内蔵或いは外装するようにしてもよい。これによって、所定のタイミングにて遊技ボタン１４を聴覚的に遊技者に対して明示するためスピーカから発音させる機能を備えるようにしてもよい。
また、遊技ボタン１４自体を振動させる振動発生手段（バイブ機能）を備える構成としてもよい。これによって、所定のタイミングで遊技ボタン１４を振動させて触角的に遊技者に対して明示するための振動機能を備えるようにしてもよい。
また、遊技ボタン１４を、所謂突出ボタンすなわち、所定のタイミングとなると、遊技ボタン１４自体が上方に飛び出し、該飛び出した状態から再度、下降して元の状態に復帰するよう突出制御される構成としても良い。これにより、遊技者に押下を促すタイミングであることを、強烈なインパクトをもって、示すことができる。
このように、遊技ボタン１４は様々な構成とすることが考えられる。これらの構成によって、所定のタイミングにおいて、該遊技ボタン１４の状態を変化可能とする。なお、該遊技ボタン１４の状態変化とは、上述したように、発光、変形、変色、発音、振動発生（変形の一例）等、種々の態様によって実現することが考えられる。
本変形例では、このように遊技ボタン１４を、遊技者をして認知可能に状態変化させる。そして、該状態変化は、遊技ボタン１４の有効期間中に実行するように構成する。さらに該状態変化を、操作促進報知８６が表示されない状態であっても実行するように構成する。
これによって、内部的には有効期間となっていても、それを遊技者が気付かずに渡過してしまい、予告演出を享受できる機会を逸してしまう不利益を被らせてしまうといったことを、回避し易くすることができる。
【０１１８】
［実施例２］
次に実施例２について説明する。本実施例において遊技機を構成する部品とその電気的接続は実施例１と共通である。従って、重複する部分は実施例１を援用するものとして、適宜説明を割愛することとする。
先ず上述した実施例１では、「遊技ボタン操作待機処理１」（図７）にて、所定の待機時間が満了となった時点で、Ｓ２７７の判定結果により、操作促進報知８６を実行する処理（操作促進手段）と、実行しない処理（非操作促進手段）を備えていた。しかし、本実施例では、この点において相違する。詳述するなら、本実施例の操作促進手段は、操作促進報知８６の実行を即時行うものであり、また非操作促進手段は、即時、操作促進報知８６の実行を行わない、すなわち有効期間よりも短い時間である遅延時間だけ遅延してから実行するよう処理するものである。また、遅延する場合に加えて、実施例１のように全く行わない場合も併せて備えるようにしても良い。本実施例の実施例１との相違点の概要は上記の通りであるが、以下、図面を参照してより詳細に説明する。
【０１１９】
図１２に示したフローチャートを用いて、実施例２の、サブ統合制御装置５３が実行する遊技ボタン操作待機処理２を説明する。本処理は、本発明の操作促進手段及び非操作促進手段を含み、遊技ボタン１４の操作が有効になるまでの待機時間を計測し、待機タイマが所定値になると遊技ボタン１４の操作を有効（操作に応じて信頼度演出が表示可能）とする。
【０１２０】
サブ統合制御装置５３は、本処理を開始すると、遊技ボタン操作待機フラグが１か否か判定し（Ｓ１２５０）、否定判定なら（Ｓ１２５０：ｎｏ）リターンし、肯定判定なら（Ｓ１２５０：ｙｅｓ）、待機タイマとなるカウンタに＋１し（Ｓ１２５５）、待機タイマの値が第１所定値（本実施形態では、一例として５ｓｅｃに対応したカウンタ値）に達したか否か判定する（Ｓ１２６０）。否定判定なら（Ｓ１２６０：ｎｏ）リターンし、肯定判定なら（Ｓ１２６０：ｙｅｓ）、有効期間フラグに１をセットし（Ｓ１２６５）、待機タイマをクリアし（Ｓ１２７０）、遊技ボタン操作待機フラグに０をセットし（Ｓ１２７５）、Ｓ１２７７に処理を移行する。
【０１２１】
サブ統合制御装置５３は、Ｓ１２７７において、操作促進フラグに１がセットされているか否かの判定処理を実行し（Ｓ１２７７）、肯定判定であれば（Ｓ１２７７：ｙｅｓ）、Ｓ１２８０に処理を移行し、否定判定であれば（Ｓ１２７７：ｎｏ）、Ｓ１２８５に処理を移行する。操作促進フラグは、上述した「変動指示コマンド受信処理」（図６）のＳ２４５にて、今回の変動の演出態様について操作促進報知８６の表示を、即時、実行することが予定された内容である場合に１が設定されるフラグである。
本実施例では、何れの場合においても操作促進報知８６を実行するように構成されており、その実行時期に関して、所定の待機時間が満了となった時点で即時行うか、一定の遅延時間を経過した後に実行するか、の違いを持たせて設定されている。尚、操作促進フラグに１が設定されていない場合に、実施例１と同じく遅延時間に関係無く操作促進報知８６を実行しない場合も併せて発生するよう構成しても良い。
【０１２２】
サブ統合制御装置５３は、Ｓ１２８０において、遊技ボタン１４の操作を遊技者に促進する操作促進報知８６を演出図柄表示装置５４ｂに表示開始する指示信号を演出図柄制御装置５４ａに送信する処理を実行し、本処理を終了する。
【０１２３】
サブ統合制御装置５３は、Ｓ１２８５において、遅延フラグに１を設定する処理を行い、続くＳ１２９０において、本実施例の遅延時間の一例である３ｓｅｃを計時するための遅延時間遅延カウンタをセットして、本処理を終了する。なお、遅延フラグは、非操作促進手段によって操作促進報知８６を即時実行することは無いが、一定の遅延時間だけ遅延した後にこれを実行することが予定されている状態にあることを示すフラグであって、未だ遅延時間が満了していないことを示すフラグでもある。
【０１２４】
なお、本実施形態では、遊技ボタン操作待機フラグに１が設定されている間は、有効期間フラグが１に設定されない構成となっているが、待機状態を備えずに変動表示の開始に伴って即時有効期間が開始されるようにしても良い。
【０１２５】
また、本実施形態では、操作促進フラグに１が設定されているか否か（Ｓ１２７７の判定処理）に関係無く、その直前の処理にて有効期間フラグに１が設定される（Ｓ１２６５）ので、遊技者は操作促進報知８６の表示が行われていなくても、遊技ボタン１４が有効かもしれないと期待感を抱くことができる。
【０１２６】
また、本実施形態では、操作促進報知８６の表示が即時行われていなくても、遅延して実行される。よって、即時実行されないことで遊技者が当該変動表示では促進が行われないのかと諦めた状態で、遅延して操作促進報知８６を実行することで、遊技者に驚きを与えると共に、内部的に操作促進報知８６の実行が予定されていない場合であっても、遊技者に「遅れても表示されるかもしれない」と期待させることができる。
【０１２７】
なお、Ｓ１２７７の肯定判定に基づいてＳ１２８０を実行する処理が、本願発明の操作促進手段に相当し、Ｓ１２７７の否定判定に基づいてＳ１２８５およびＳ１２９０を実行することでＳ１２８０を非実行とする処理が、本願発明の非操作促進手段に相当する。操作促進報知８６を待機時間満了時に即時実行しないで遅延して行う処理が、本実施例の非操作促進手段に相当するものである。
【０１２８】
有効期間フラグは、サブ統合制御装置５３が記憶する値であり、値が０なら遊技ボタン１４の操作が無効であることを、値が１なら遊技ボタン１４の操作が有効であることをサブ統合制御装置５３が判断する。
【０１２９】
次に、図１３および図１４に示したフローチャートを用いて、実施例２においてサブ統合制御装置５３が実行する遊技ボタン操作処理２を説明する。本処理は、本発明の信頼度演出実行手段を含む処理となる。
【０１３０】
先ず図１３に示すように、サブ統合制御装置５３は、本処理を開始すると、有効期間フラグが１か否か判定し（Ｓ１３００）、否定判定なら（Ｓ１３００：ｎｏ）リターンし、肯定判定なら（Ｓ１３００：ｙｅｓ）有効タイマを成すカウンタに＋１し（Ｓ１３０５）、Ｓ１３１０に処理を移行する。
【０１３１】
サブ統合制御装置５３は、Ｓ１３１０において、遅延フラグに１が設定されているか否かを判定し（Ｓ１３１０）、肯定判定であれば（Ｓ１３１０：ｙｅｓ）、Ｓ１３１５に処理を移行し、否定判定であれば（Ｓ１３１０：ｎｏ）、Ｓ１３３５に処理を移行する。
【０１３２】
サブ統合制御装置５３は、Ｓ１３１５において、遅延タイマにカウント値を１加算する処理を行い（Ｓ１３１５）、Ｓ１３２０に処理を移行する。
【０１３３】
サブ統合制御装置５３は、Ｓ１３２０において、遅延タイマのカウント値が第３所定値（本実施例では３ｓｅｃに対応するカウント値）より小さいか否かを判定し（Ｓ１３２０）、肯定判定であれば（Ｓ１３２０：ｙｅｓ）、Ｓ１３３５に処理を移行し、否定判定であれば（Ｓ１３２０：ｎｏ）、Ｓ１３２５に処理を移行する。つまりＳ１３２０は、遅延時間の３ｓｅｃに到達していないか否かを判定する処理である。
【０１３４】
サブ統合制御装置５３は、Ｓ１３２５において、遅延フラグに０をセットする処理を行い（Ｓ１３２５）、次いで、Ｓ１３３０において、遊技ボタン１４の操作を遊技者に促進する操作促進報知８６を演出図柄表示装置５４ｂに表示開始する指示信号を演出図柄制御装置５４ａに送信する処理を実行し、Ｓ１３３５に処理を移行する。
なお、有効タイマとは、有効期間を計時するためのタイマであって、本実施形態では一例として、１０ｓｅｃの有効期間が設定されている。有効タイマの判定値として、後述する第２所定値を備える。第２所定値は、１０ｓｅｃに対応したカウント値である。同様に、上述した待機タイマの判定値として、本実施形態では第１判定値を備え、該第１判定値は、５ｓｅｃに対応したカウント値として設定されている。これによって、それぞれの期間が満了したか否かが判定可能となっている。よって、本実施形態では、５ｓｅｃの待機期間の終了後に、１０ｓｅｃの有効期間が開始される。
【０１３５】
また本実施例では、１０ｓｅｃの有効期間が開始されると同時に３ｓｅｃの遅延時間が開始される。有効期間よりも短く設定された遅延時間が満了すると操作促進報知８６が実行されるため、該実行時には未だ有効期間が７ｓｅｃ残っている状態であって、遊技者が操作の促進を受けて操作を行うに充分な時間を有するように構成されている。
【０１３６】
サブ統合制御装置５３は、Ｓ１３３５において、有効タイマが第２所定値よりも小さいか否かを判定し（Ｓ１３３５）、肯定判定であれば（Ｓ１３３５：ｙｅｓ）、Ｓ１３４０に処理を移行し、否定判定であれば（Ｓ１３３５：ｎｏ）、Ｓ１３６５に処理を移行する。すなわち、未だ１０ｓｅｃの有効期間中か否かを判定する。
【０１３７】
サブ統合制御装置５３は、Ｓ１３４０において、遊技ボタン操作信号を受信したか否かを判定し（Ｓ１３４０）、肯定判定であれば（Ｓ１３４０：ｙｅｓ）、Ｓ１３４５に処理を移行し、否定判定であれば（Ｓ１３４０：ｎｏ）、本処理を終了する。すなわち、遊技ボタン１４が操作されたことにより生成される遊技ボタン操作信号（遊技スイッチ１４ａ信号）を受信したか否か判定する。
【０１３８】
次いで、図１４に示すように、サブ統合制御装置５３は、Ｓ１３４５において、操作促進フラグに１が設定されているか否かを判定し（Ｓ１３４５）、肯定判定であれば（Ｓ１３４５：ｙｅｓ）、Ｓ１３５５に処理を移行し、否定判定であれば（Ｓ１３４５：ｎｏ）、Ｓ１３９５に処理を移行する。
すなわち、有効期間中において、操作促進フラグの設定状態に基づき、操作促進報知８６が演出図柄表示装置５４ｂに表示されている状態か否かを判定する。つまり、本実施形態では、有効期間であっても操作促進報知８６が、一定の遅延時間を経過しないと表示されない状態を、発生可能に構成されている。
【０１３９】
サブ統合制御装置５３は、Ｓ１３９５において、遅延フラグに１が設定されているか否かを判定し（Ｓ１３９５）、肯定判定であれば（Ｓ１３９５：ｙｅｓ）、Ｓ１３６０に処理を移行し、否定判定であれば（Ｓ１３９５：ｎｏ）、Ｓ１３５５に処理を移行する。つまり、Ｓ１３９５は、現状、操作促進報知８６が実行されておらず遅延時間が未だ満了となっていない状態か否かを判定している。
【０１４０】
サブ統合制御装置５３は、Ｓ１３５５において、演出図柄表示装置５４ｂにおける操作促進報知８６の表示について、これを終了する指示信号を、演出図柄制御装置５４ａに送信する処理を実行し、Ｓ１３６０に処理を移行する。
【０１４１】
サブ統合制御装置５３は、Ｓ１３６０において、上述したＳ２２２で予め選択されて予告演出種別バッファに格納されたデータを参照し、該データが示す予告演出種別に設定されたキャラクタ色（予告演出種別、すなわち本実施形態では枠色表示）を、演出図柄表示装置５４ｂにて表示実行する処理について、これを指示する指示信号を、演出図柄制御装置５４ａに送信する処理を実行し、Ｓ１３６５に処理を移行する。当該処理により、予めＳ２２２で選択決定されたキャラクタ色の表示が演出図柄制御装置５４ａにて実行される。
なお、本実施形態では、上述したように、予告演出種別の選択を、当否判定時に実行されるＳ２２２にて行う構成となっているが、これに限定せず、例えば遊技ボタン１４が操作された時点すなわちＳ１３４０の肯定判定後に選択及び実行する構成としても良い。
【０１４２】
サブ統合制御装置５３は、Ｓ１３６５において、有効期間フラグに０を設定して、次いで、Ｓ１３７０にて有効タイマをクリアし、Ｓ１３７５に処理を移行する。
【０１４３】
サブ統合制御装置５３は、Ｓ１３７５において、操作促進フラグに１が設定されているか否かを判定し（Ｓ１３７５）、肯定判定であれば（Ｓ１３７５：ｙｅｓ）、Ｓ１３８０に処理を移行し、否定判定であれば（Ｓ１３７５：ｎｏ）、Ｓ１３８５に処理を移行する。
サブ統合制御装置５３は、Ｓ１３８０において、操作促進フラグに０を設定して、Ｓ１３８５に処理を移行する。
【０１４４】
サブ統合制御装置５３は、Ｓ１３８５において、遅延フラグに１が設定されているか否かを判定し（Ｓ１３８５）、肯定判定であれば（Ｓ１３８５：ｙｅｓ）、Ｓ１３９０に処理を移行し、否定判定であれば（Ｓ１３８５：ｎｏ）、本処理を終了する。
【０１４５】
サブ統合制御装置５３は、Ｓ１３９０において、遅延フラグに０を設定し、次いでＳ１３９３において、遅延タイマをクリアして、本処理を終了する。
【０１４６】
図１５、図１６および図１７を参照して、実施例２の演出図柄表示装置５４ｂに表示される予告演出の表示内容を説明する。
先ず、図１５では、結果がハズレとなる変動表示であって、「変動指示コマンド受信処理」（図６）のＳ２１２にて選択された演出態様として、遊技ボタン１４の操作に基づいて所定の予告演出（枠色を所定の信頼度で表示して報知する演出）を行うものであって、操作促進報知８６を待機時間満了と同時に即時行うのではなく一定の遅延時間が経過した後に表示することで遊技者に遊技ボタン１４の操作を促すことが予定されていて、「変動指示コマンド受信処理」（図６）のＳ２２２にて操作促進報知が実行される場合の枠色報知演出の内で、「白」のキャラクタ色が選択された場合を前提とした、変動表示の態様を説明する。
【０１４７】
図１５（ａ）に示すように、サブ統合制御装置５３によって演出図柄表示装置５４ｂのＬＣＤ画面上には、特別図柄に対応して連動表示される装飾図柄８０が「１３２」の態様にて確定表示されている。また、ＬＣＤ画面の右下部には、特別図柄の保留記憶に対応した保留記憶図柄が、左から古い記憶順に従って、保留記憶図柄８１ａ、８１ｂ、および８１ｃの順で表示されている。なお、次に消化される保留記憶図柄８１ａに対応した保留記憶が、図１５で説明することとなる上述した変動表示の対象である。
【０１４８】
保留記憶図柄８１ａに対応した保留記憶が消化されて、該保留記憶に基づく変動表示が開始されると、図１５（ｂ）に示すように、装飾図柄８０が変動表示を開始し、保留記憶図柄８１ａは消去され、保留記憶図柄８１ｂ、および８１ｃはそれぞれ、左方向に向かってシフト処理される。
この変動表示開始に伴って、「変動指示コマンド受信処理」（図６）では、Ｓ２００で肯定判定され、Ｓ２１２では前提となる上述した演出態様が選択され、Ｓ２１５にて否定判定され、Ｓ２２２で予告演出種別が選択され、Ｓ２３０で待機タイマがセットされ、今回の保留記憶図柄８１ａに対応した保留記憶の変動態様では即時実行される操作促進が予定されていないので、Ｓ２４０にて否定判定となり、Ｓ２４５へ移行しないため、操作促進フラグに１がセットさない。
【０１４９】
図１５（ｂ）に示す変動開始から、待機タイマの第１所定値に相当する５ｓｅｃが経過すると、「遊技ボタン操作待機処理２」（図１２）のＳ１２６０が肯定判定となり、Ｓ１２６５にて有効期間フラグに１が設定され、Ｓ１２７７で否定判定となって、Ｓ１２８５で遅延フラグに１がセットされ、Ｓ１２９０で遅延カウンタがセットされる。このような制御処理の結果、図１５（ｃ）に示すように、ＬＣＤ画面には待機時間が満了となっても即時、操作促進報知８６が表示されることなく、装飾図柄８０の変動表示が継続される。
【０１５０】
遅延時間の３ｓｅｃが経過して、「遊技ボタン操作処理２」（図１３）のＳ１３２０が否定判定となり、Ｓ１３３０によって操作促進報知８６の表示が開始処理されると、図１５（ｄ）に示すように、装飾図柄８０は縮小され且つＬＣＤ画面の右上に変位して表示される。そして、操作促進報知８６がＬＣＤ画面の中央に表示されることで、遊技者に現時点が遊技ボタン１４の有効期間であることを知らしめ、且つ操作を促すこととなる。
【０１５１】
有効期間である１０ｓｅｃ中に、且つ操作促進報知８６が表示されている状態にて、遊技ボタン１４の押下操作が為されると、「遊技ボタン操作処理２」（図１３）のＳ１３４０が肯定判定となり、上述したように、Ｓ２２２で選択された予告演出種別として「白」のキャラクタ色がＳ１３６０にて実行されると、図１５（ｅ）に示すように、ライオンのキャラクタによる「チャンス！」という台詞が表示され、且つ該台詞の枠が「白」色となる予告演出８３が表示される。
【０１５２】
内部的にハズレとなっている当該変動表示が進むと、図１５（ｆ）に示すように、装飾図柄８０と予告演出８３が位置を入れ替わり、装飾図柄８０はリーチ表示態様となる。しかし、さらに進展すると、図１６（ａ）に示すように、装飾図柄８０は「４３４」のハズレ態様にて確定表示され、ライオンのキャラクタによる台詞は「残念」に変更表示されて変動表示が終了する。
このような予告演出の表示態様に対して、図１７に示すような態様にて表示することも本実施形態は可能である。図１７を参照して、異なる態様について説明する。
【０１５３】
図１７では、結果が大当たりとなる変動表示であって、「変動指示コマンド受信処理」（図６）のＳ２１２にて選択された演出態様として、遊技ボタン１４の操作に基づいて所定の予告演出（枠色を所定の信頼度で表示して報知する演出）を行うものであって、操作促進報知８６を待機時間満了と同時に即時行うのではなく一定の遅延時間が経過した後に表示することで遊技者に遊技ボタン１４の操作を促すことが予定されていて、「変動指示コマンド受信処理」（図６）のＳ２２２にて操作促進報知が実行されない場合枠色報知演出の内で、「金」のキャラクタ色が選択された場合を前提とした、変動表示の態様を説明する。
【０１５４】
図１７（ａ）に示すように、サブ統合制御装置５３によって演出図柄表示装置５４ｂのＬＣＤ画面上には、特別図柄に対応して連動表示される装飾図柄８０が「１３２」の態様にて確定表示されている。また、ＬＣＤ画面の右下部には、特別図柄の保留記憶に対応した保留記憶図柄が、左から古い記憶順に従って、保留記憶図柄８１ａ、８１ｂ、および８１ｃの順で表示されている。なお、次に消化される保留記憶図柄８１ａに対応した保留記憶が、図１７で説明することとなる上述した変動表示の対象である。
【０１５５】
保留記憶図柄８１ａに対応した保留記憶が消化されて、該保留記憶に基づく変動表示が開始されると、図１７（ｂ）に示すように、装飾図柄８０が変動表示を開始し、保留記憶図柄８１ａは消去され、保留記憶図柄８１ｂ、および８１ｃはそれぞれ、左方向に向かってシフト処理される。
この変動表示開始に伴って、「変動指示コマンド受信処理」（図６）では、Ｓ２００で肯定判定され、Ｓ２１２では前提となる上述した演出態様が選択され、Ｓ２１５にて否定判定され、Ｓ２２２で予告演出種別が選択され、Ｓ２３０で待機タイマがセットされ、今回の保留記憶図柄８１ａに対応した保留記憶の変動態様では即時実行される操作促進が予定されていないので、Ｓ２４０にて否定判定となり、Ｓ２４５へ移行しないため、操作促進フラグに１がセットさない。
【０１５６】
図１７（ｂ）に示す変動開始から、待機タイマの第１所定値に相当する５ｓｅｃが経過すると、「遊技ボタン操作待機処理２」（図１２）のＳ１２６０が肯定判定となり、Ｓ１２６５にて有効期間フラグに１が設定され、Ｓ１２７７で否定判定となって、Ｓ１２８５で遅延フラグに１がセットされ、Ｓ１２９０で遅延カウンタがセットされる。このような制御処理の結果、図１７（ｃ）に示すように、ＬＣＤ画面には待機時間が満了となっても即時、操作促進報知８６が表示されることなく、装飾図柄８０の変動表示が継続される。
【０１５７】
遅延時間の３ｓｅｃが経過する前に、操作促進報知８６が非表示のままで、遊技ボタンの押下操作が検知されると、遅延フラグが１に設定されたままで、「遊技ボタン操作処理２」（図１３）のＳ１３４０が肯定判定となり、上述したように、Ｓ２２２で選択された予告演出種別として「金」のキャラクタ色がＳ１３６０にて実行されると、図１７（ｄ）に示すように、ライオンのキャラクタによる「激アツ！！」という台詞が表示され、且つ該台詞の枠が「金」色となる予告演出８３が表示される。
【０１５８】
内部的に大当りが予定されている当該変動表示が進むと、図１７（ｅ）に示すように、装飾図柄８０と予告演出８３が位置を入れ替わり、装飾図柄８０はリーチ表示態様となる。そして、さらに進展すると、図１７（ｆ）に示すように、装飾図柄８０は「７７７」の大当たり態様にて確定表示され、ライオンのキャラクタによる台詞は「大当り」に変更表示されて変動表示が終了する。
【０１５９】
このように本実施例では、第１実施例とは異なり、図１５に示したように、待機時間が経過しても即時、操作促進報知８６を表示せず、一定の遅延時間が経過したことに起因して、表示するよう構成されている。これによって、遊技者は、待機時間が経過しても操作促進報知８６が表示されないことで、今回の変動表示では表示されないのかと諦めていると、遅延時間の経過によって操作促進報知８６が遅れて表示されるので、驚くこととなるので、面白みを提供することができる。
【０１６０】
また、本実施例では、操作促進報知８６の表示が遅れることによって、遊技者に違和感を与えつつ、遅れた場合の方が期待度の高い予告演出が実行されることから、遊技者の期待感を高めてボタン操作を行わせることができる。
【０１６１】
なお、以上のように本願発明の実施の形態を説明してきたが、本願発明の技術思想を逸脱しない限り、このような実施形態に必ずしも限定することなく、他の構成を採用することも考えられる。
例えば、本願発明の信頼度演出の一例として、上述した実施形態では、変動開始時に１回だけ実行される「ボタン操作」に起因した予告演出として、台詞の枠色により信頼度を示す予告演出を例示して説明した。しかし、これに限らず、１回の変動表示中に、ボタン操作に起因した予告演出を、複数回備える構成としても良い。このような構成においては、全ての予告演出に対して、操作促進報知を実行する場合と非実行の場合を備えるようにしても良い。
【０１６２】
また、１回の変動表示中に、ボタン操作に起因した予告演出を、複数回備える構成において、特定の予告演出に限って操作促進報知を実行する場合と非実行の場合を備えるようにしても良い。例えば、上述した実施形態のように変動開始時の台詞予告に対してのみ操作促進報知を実行する場合と非実行の場合を備え、その後に実行されるリーチ中の信頼度演出に対しては、操作促進報知を非実行とする場合を備えないようにする構成としても良い。
【０１６３】
また、上述した実施形態では、変動表示の開始に伴い計時を開始する待機タイマを備える構成を例示したが、これに限らず、待機タイマを備えない構成としても良い。つまり、変動表示の開始と同時に有効期間が開始するように構成しても良い。
【０１６４】
また、上述した実施形態では、待機時間や有効期間は、予め定められた１つの設定期間で制御されるようにしたが、これらの期間を個々に複数種類備えて、これらの何れかを抽選等の処理によって選択して実行するように構成しても良い。これにより、各種期間が不定となり、今回はどの期間が選択されているのかを遊技者に予想させることができるので興趣が向上する。
【０１６５】
また、本願発明の遊技機として、上述したパチンコ機に代表される弾球遊技機等が例示される。しかし、遊技者が操作可能な操作部等の構成を備えていれば、これに限らず、例えば所謂スロットマシン等の回胴式遊技機などを、その一例とすることも可能である。さらに、本願発明の遊技機は、上記弾球遊技機や回胴式遊技機であって、遊技媒体（遊技球や遊技メダル）を機外に払い出さずに遊技可能な構成である封入式遊技機であっても良い。
【０１６６】
［特許請求の範囲との対応］
上記実施形態の説明で用いた用語と、特許請求の範囲の記載に用いた用語との対応関係を説明する。
主制御装置５０が実行する当否判定処理（図５）が、当否判定手段の一例に相当する。
演出図柄表示装置５４ｂのＬＣＤ画面が、表示画面の一例に、また、サブ統合制御装置５３が演出表示手段の一例に相当する。
遊技ボタン１４が、操作部の一例に相当する。
遊技スイッチ１４ａが、操作検出手段の一例に相当する。
台詞の枠色を「金」、「赤」又は「白」の異なる色調で表示する枠色報知演出（予告演出とも呼称）が、期待度演出の一例に相当する。
「遊技ボタン操作処理１」（図８）のＳ３６０、又は、「遊技ボタン操作処理２」（図１４）のＳ１３６０が、信頼度演出実行手段の一例に相当する。
「遊技ボタン操作待機処理１」（図７）のＳ２７７で肯定判定となりＳ２８０を実行する処理、又は、「遊技ボタン操作待機処理２」（図１２）のＳ１２７７で肯定判定となりＳ１２８０を実行する処理が、操作促進手段の一例に相当する。
「遊技ボタン操作待機処理１」（図７）のＳ２７７で否定判定となりＳ２８０を実行しない処理、又は、「遊技ボタン操作待機処理２」（図１２）のＳ１２７７で否定判定となりＳ１２８０を実行しない処理が、非操作促進手段の一例に相当する。
「遊技ボタン操作待機処理２」（図１３）のＳ１３３０が、遅延操作促進手段の一例に相当する。
遊技ボタン１４を駆動、変形させる駆動手段や、遊技ボタン１４を発光させる発光部材、音声発生手段等、を制御するサブ統合制御装置５３が、操作部状態変化手段の一例に相当する。
【符号の説明】
【０１６７】
８      遊技盤
１４    遊技ボタン
３１    第１始動口
３２    第２始動口
５０    主制御装置
５３    サブ統合制御装置
５４ａ  演出図柄制御装置
５４ｂ  演出図柄表示装置
【図１】
2019118443.tif 000003
【図２】
2019118443.tif 000004
【図３】
2019118443.tif 000005
【図４】
2019118443.tif 000006
【図５】
2019118443.tif 000007
【図６】
2019118443.tif 000008
【図７】
2019118443.tif 000009
【図８】
2019118443.tif 000010
【図９】
2019118443.tif 000011
【図１０】
2019118443.tif 000012
【図１１】
2019118443.tif 000013
【図１２】
2019118443.tif 000014
【図１３】
2019118443.tif 000015
【図１４】
2019118443.tif 000016
【図１５】
2019118443.tif 000017
【図１６】
2019118443.tif 000018
【図１７】
2019118443.tif 000019